(57)【要約】      （修正有）【課題】おむつ着用時、脚を脚回り開口に通し易く、着用後は良好な防漏性を奏する。【解決手段】パンツ型使い捨ておむつで、長手方向の所定位置で二つ折りされつつ長手方向を縦方向に沿わせて配された吸収性本体１０と、吸収性本体における長手方向の一方側の端部１０ｅａの非肌側面に重ねられて接合された腹側胴回り部３１と、吸収性本体における長手方向の他方側の端部１０ｅｂの非肌側面に重ねられて接合された背側胴回り部４１と、を有する。吸収性本体は、液体を吸収する吸収性コア１１ｃと、吸収性コアよりも横方向の外側にあるシート状のフラップ部１０ｆと、を有する。フラップ部は、横方向にＺ字状に折り畳まれた状態に固定されたＺ字状折り畳み部分１０ｆＺを、長手方向の両側に有する。腹側胴回り部及び背側胴回り部において吸収性コアよりも横方向の外側に位置する部分に、フラップ部の折り畳み部分が固定されている。【選択図】図３Ａ
2017113347.tif 000002
【特許請求の範囲】
【請求項１】
互いに直交する縦方向と横方向とを有したパンツ型使い捨ておむつであって、
長手方向を有し、前記長手方向の所定位置で二つ折りされつつ前記長手方向を前記縦方向に沿わせて配された吸収性本体と、
前記吸収性本体における前記長手方向の一方側の端部の非肌側面に重ねられて接合された腹側胴回り部と、
前記吸収性本体における前記長手方向の他方側の端部の非肌側面に重ねられて接合された背側胴回り部と、を有し、
前記吸収性本体は、液体を吸収する吸収性コアと、前記吸収性コアよりも前記横方向の外側に突出するシート状のフラップ部と、を有し、
前記フラップ部は、前記横方向にＺ字状に折り畳まれた状態に固定されたＺ字状折り畳み部分を、前記長手方向の前記一方側及び前記他方側にそれぞれ有し、
前記腹側胴回り部及び前記背側胴回り部において前記吸収性コアよりも前記横方向の外側に位置する部分に、それぞれ、前記フラップ部の前記Ｚ字状折り畳み部分が固定されていることを特徴とするパンツ型使い捨ておむつ。
【請求項２】
請求項１に記載のパンツ型使い捨ておむつであって、
前記Ｚ字状折り畳み部分における前記横方向の外縁部を含む所定部分であって、前記腹側胴回り部と重なる部分のうちの前記長手方向の最も内側の部分を含む前記所定部分は、前記腹側胴回り部に固定されない非固定部分であり、
前記Ｚ字状折り畳み部分において前記非固定部分の前記横方向の内側に隣接する部分は、前記腹側胴回り部に固定される固定部分を有し、
前記Ｚ字状折り畳み部分において前記非固定部分の前記長手方向の外側に隣接する部分は、前記腹側胴回り部に固定される固定部分を有していることを特徴とするパンツ型使い捨ておむつ。
【請求項３】
請求項１又は２に記載のパンツ型使い捨ておむつであって、
前記Ｚ字状折り畳み部分は、前記横方向の第１折り曲げ位置で前記横方向の内側に折り返されて前記第１折り曲げ位置よりも前記横方向の内側に延びる内折り部と、前記内折り部における第２折り曲げ位置で前記横方向の外側に折り返されて前記第２折り曲げ位置よりも前記横方向の外側に延びる外折り部と、を有し、
前記Ｚ字状折り畳み部分では、前記内折り部と前記外折り部とは、互いに対向する面同士で接合されているとともに、前記フラップ部における前記第１折り曲げ位置よりも前記横方向の内側の部分と前記内折り部とが、互いの対向する面同士で接合されており、
前記外折り部は、前記内折り部よりも前記横方向の外側に突出する部分を有していることを特徴とするパンツ型使い捨ておむつ。
【請求項４】
請求項３に記載のパンツ型使い捨ておむつであって、
前記外折り部の前記突出する部分における前記横方向の外縁部を含む所定部分であって、前記腹側胴回り部と重なる部分のうちの前記長手方向の最も内側の部分を含む前記所定部分は、前記腹側胴回り部に固定されない非固定部分であり、
前記外折り部の前記突出する部分において前記非固定部分の前記長手方向の外側に隣接する部分は、前記腹側胴回り部に固定される固定部分を有し、
前記Ｚ字状折り畳み部分において前記非固定部分の前記横方向の内側に隣接する部分は、前記腹側胴回り部に固定される固定部分を有していることを特徴とするパンツ型使い捨ておむつ。
【請求項５】
請求項１乃至４の何れかに記載のパンツ型使い捨ておむつであって、
前記吸収性コアは、前記吸収性コアの前記長手方向の両端部よりも前記横方向の寸法が小さい括れ部を、前記長手方向の前記両端部同士の間の位置に有し、
前記吸収性本体に対して前記長手方向の収縮力を付与するための前記長手方向に沿った第１弾性部材を有し、
前記所定位置で前記吸収性本体を前記長手方向に開いて前記吸収性本体の二つ折りを解除した展開状態において前記使い捨ておむつを肌側から見た場合に、
前記吸収性コアの前記両端部では、前記第１弾性部材は、前記吸収性コアに重なっているとともに、前記括れ部では、前記第１弾性部材は、前記吸収性コアに重ならずに前記吸収性コアよりも前記横方向の外側に位置していることを特徴とするパンツ型使い捨ておむつ。
【請求項６】
請求項１乃至５の何れかに記載のパンツ型使い捨ておむつであって、
前記フラップ部の肌側面に設けられた支点に支持されて前記肌側面から起立可能な立体ギャザー部を有し、
前記フラップ部における前記支点と前記吸収性コアの横方向の最外端との間の部分には、前記フラップ部に対して前記長手方向の収縮力を付与するための前記長手方向に沿った第２弾性部材が設けられていることを特徴とするパンツ型使い捨ておむつ。
【請求項７】
請求項６に記載のパンツ型使い捨ておむつであって、
前記第２弾性部材は、前記収縮力を付与可能な有効部分と、前記有効部分の前記長手方向の両側に位置しつつ前記収縮力を付与不能な無効部分と、を有し、
前記腹側胴回り部に対して前記横方向の収縮力を付与するための前記横方向に沿った腹側弾性部材を複数有するとともに、前記腹側弾性部材は、前記収縮力を付与可能な有効部分と、前記有効部分の前記横方向の両側に位置しつつ、前記収縮力を付与不能な無効部分と、を有し、
前記所定位置で前記吸収性本体を前記長手方向に開いて前記吸収性本体の二つ折りを解除した展開状態において前記使い捨ておむつを肌側から見た場合に、
前記複数の前記腹側弾性部材のうちの少なくとも一つの腹側弾性部材の前記有効部分と、前記第２弾性部材の前記有効部分とが交差する交差位置は、前記フラップ部において前記腹側胴回り部が接合されている領域と重なっていることを特徴とするパンツ型使い捨ておむつ。
【請求項８】
請求項１乃至７の何れかに記載のパンツ型使い捨ておむつであって、
前記フラップ部に対して前記長手方向の収縮力を付与するための第３弾性部材が、前記一方側の前記Ｚ字状折り畳み部分及び前記他方側の前記Ｚ字状折り畳み部分に掛け渡されつつ前記長手方向に沿って設けられており、
前記第３弾性部材は、前記収縮力を付与可能な有効部分と、前記有効部分の前記長手方向の両側に位置しつつ、前記収縮力を付与不能な無効部分と、を有し、
前記腹側胴回り部に対して前記横方向の収縮力を付与するための前記横方向に沿った腹側弾性部材を複数有するとともに、前記腹側弾性部材は、前記収縮力を付与可能な有効部分と、前記有効部分の前記横方向の両側に位置しつつ、前記収縮力を付与不能な無効部分と、を有し、
前記所定位置で前記吸収性本体を前記長手方向に開いて前記吸収性本体の二つ折りを解除した展開状態において前記使い捨ておむつを肌側から見た場合に、
前記フラップ部において前記腹側胴回り部が接合されている領域では、前記複数の前記腹側弾性部材のうちの少なくとも一つの腹側弾性部材の前記有効部分と、前記第３弾性部材の前記有効部分とは交差していないことを特徴とするパンツ型使い捨ておむつ。
【請求項９】
請求項１乃至８の何れかに記載のパンツ型使い捨ておむつであって、
前記背側胴回り部に対して前記横方向の収縮力を付与するための前記横方向に沿った背側弾性部材を複数有し、
前記背側弾性部材は、前記収縮力を付与可能な有効部分と、前記有効部分の前記横方向の両側に位置しつつ、前記収縮力を付与不能な無効部分と、を有し、
前記所定位置で前記吸収性本体を前記長手方向に開いて前記吸収性本体の二つ折りを解除した展開状態において前記使い捨ておむつを肌側から見た場合に、
前記複数の前記背側弾性部材のうちの少なくとも一つの背側弾性部材の前記有効部分の少なくとも一部が、前記背側胴回り部において前記フラップ部の前記Ｚ字状折り畳み部分が接合されている領域に位置していることを特徴とするパンツ型使い捨ておむつ。
【請求項１０】
請求項１乃至９の何れかに記載のパンツ型使い捨ておむつであって、
前記Ｚ字状折り畳み部分は、前記横方向の第１折り曲げ位置で前記横方向の内側に折り返されて、前記第１折り曲げ位置よりも前記横方向の内側に延びる内折り部と、前記内折り部における第２折り曲げ位置で前記横方向の外側に折り返されて、前記第２折り曲げ位置よりも前記横方向の外側に延びる外折り部と、を有し、
前記Ｚ字状折り畳み部分では、前記内折り部と前記外折り部とは、互いに対向する面同士で接合されているとともに、前記フラップ部における前記第１折り曲げ位置よりも前記横方向の内側の部分と前記内折り部とが、互いの対向する面同士で接合されており、
前記フラップ部は、液不透過性シートを有しているとともに、前記液不透過性シートは、前記内折り部及び前記外折り部へと前記横方向に延在して配されているとともに、前記外折り部の前記横方向の先端部は、前記液不透過性シートが配置されない非配置部分とされており、
前記非配置部分には、当該非配置部分に対して前記長手方向の収縮力を付与するための前記長手方向に沿った第５弾性部材が設けられていることを特徴とするパンツ型使い捨ておむつ。
【請求項１１】
請求項１乃至１０の何れかに記載のパンツ型使い捨ておむつであって、
前記フラップ部の肌側面に設定された支点に支持されて前記肌側面から起立可能な立体ギャザー部を有し、
前記フラップ部は、前記一方側の前記Ｚ字状折り畳み部分と前記他方側の前記Ｚ字状折り畳み部分との間の位置に、折り畳み状態に固定されていない中間部分を有し、
前記中間部分が折り畳まれていない前記横方向に広がった状態において、前記支点から前記中間部分の前記横方向の先端部までの長さの最大値は、前記支点から前記立体ギャザー部の前記横方向の先端部までの長さの最大値よりも大きいことを特徴とするパンツ型使い捨ておむつ。
【請求項１２】
請求項１乃至１１の何れかに記載のパンツ型使い捨ておむつであって、
前記Ｚ字状折り畳み部分は、前記横方向の第１折り曲げ位置で前記横方向の内側に折り返されて前記第１折り曲げ位置よりも前記横方向の内側に延びる内折り部と、前記内折り部における第２折り曲げ位置で前記横方向の外側に折り返されて前記第２折り曲げ位置よりも前記横方向の外側に延びる外折り部と、を有し、
前記フラップ部は、前記一方側の前記Ｚ字状折り畳み部分と前記他方側の前記Ｚ字状折り畳み部分との間の位置に、折り畳み状態に固定されていない中間部分を有し、
前記中間部分において前記一方側の前記内折り部と前記他方側の前記内折り部との間に位置する部分を、中間部分内折り部と定義するとともに、前記中間部分において前記一方側の前記外折り部と前記他方側の前記外折り部との間に位置する部分を、中間部分外折り部と定義した場合に、
前記中間部分内折り部に前記長手方向の収縮力を付与するための１本又は複数本の内折り部用弾性部材が、前記一方側の前記内折り部及び前記他方側の前記内折り部に掛け渡されつつ前記長手方向に沿って設けられており、
前記中間部分外折り部に前記長手方向の収縮力を付与するための１本又は複数本の外折り部用弾性部材が、前記一方側の前記外折り部及び前記他方側の前記外折り部に掛け渡されつつ前記長手方向に沿って設けられており、
前記内折り部用弾性部材によって前記中間部分内折り部に付与された前記横方向に単位長さ当たりの前記長手方向の収縮力の大きさ（Ｎ／ｃｍ）が、前記外折り部用弾性部材によって前記中間部分外折り部に付与された前記横方向に単位長さ当たりの前記長手方向の収縮力（Ｎ／ｃｍ）よりも大きいことを特徴とするパンツ型使い捨ておむつ。
【発明の詳細な説明】
【技術分野】
【０００１】
本発明は、パンツ型使い捨ておむつに関する。
【背景技術】
【０００２】
従来、３ピースタイプのパンツ型使い捨ておむつが使用されている。かかるおむつ１’は、図１のような展開状態において、長手方向と幅方向とを有し排泄物を吸収する吸収性本体１０’と、吸収性本体１０’における上記長手方向の一方側の端部に重ねられて接合された腹側胴回り部３１’と、吸収性本体１０’における上記長手方向の他方側の端部に重ねられて接合された背側胴回り部４１’と、を有する。また、吸収性本体１０’は、排泄物を吸収する吸収性コア１１ｃ’と、同吸収性コア１１ｃ’よりも横方向の外側に突出するシート状のフラップ部１０ｆ’と、を有する。
【先行技術文献】
【特許文献】
【０００３】
【特許文献１】特開２００９−６１０５２号
【発明の概要】
【発明が解決しようとする課題】
【０００４】
ここで、かかるパンツ型おむつ１’の脚回り開口ＬＨ’での防漏性を向上する方策として、脚回り開口ＬＨ’を構成する上記フラップ部１０ｆ’の寸法を、図１中の２点鎖線で示すように横方向の外側に大きくすることが考えられる。
【０００５】
しかしながら、フラップ部１０ｆ’の寸法を横方向の外側に大きくすると、脚回り開口ＬＨ’が小さくなってしまい、着用者がおむつ１’を履く際に、脚回り開口ＬＨ’に脚を通し難くなってしまう。
【０００６】
本発明は、上記のような従来の問題に鑑みてなされたものであって、その目的は、パンツ型使い捨ておむつを履く際には、着用者の脚を脚回り開口に通し易くしながらも、履いた後には良好な防漏性を脚回り開口が奏するようにすることにある。
【課題を解決するための手段】
【０００７】
上記目的を達成するための主たる発明は、
互いに直交する縦方向と横方向とを有したパンツ型使い捨ておむつであって、
長手方向を有し、前記長手方向の所定位置で二つ折りされつつ前記長手方向を前記縦方向に沿わせて配された吸収性本体と、
前記吸収性本体における前記長手方向の一方側の端部の非肌側面に重ねられて接合された腹側胴回り部と、
前記吸収性本体における前記長手方向の他方側の端部の非肌側面に重ねられて接合された背側胴回り部と、を有し、
前記吸収性本体は、液体を吸収する吸収性コアと、前記吸収性コアよりも前記横方向の外側に突出するシート状のフラップ部と、を有し、
前記フラップ部は、前記横方向にＺ字状に折り畳まれた状態に固定されたＺ字状折り畳み部分を、前記長手方向の前記一方側及び前記他方側にそれぞれ有し、
前記腹側胴回り部及び前記背側胴回り部において前記吸収性コアよりも前記横方向の外側に位置する部分に、それぞれ、前記フラップ部の前記Ｚ字状折り畳み部分が固定されていることを特徴とするパンツ型使い捨ておむつである。
本発明の他の特徴については、本明細書及び添付図面の記載により明らかにする。
【発明の効果】
【０００８】
本発明によれば、パンツ型使い捨ておむつを履く際には、着用者の脚を脚回り開口に通し易くしながらも、履いた後には良好な防漏性を脚回り開口が奏することができる。
【図面の簡単な説明】
【０００９】
【図１】パンツ型使い捨ておむつ１’の問題点の説明図である。
【図２】本実施形態のパンツ型使い捨ておむつ１の一例としての３ピースタイプのおむつ１を腹側から見た概略斜視図である。
【図３Ａ】展開状態のおむつ１を肌側から見た概略平面図である。
【図３Ｂ】図３Ａ中のＢ−Ｂ断面図である。
【図３Ｃ】図３Ａ中のＣ−Ｃ断面図である。
【図３Ｄ】図３Ａ中のＤ−Ｄ断面図である。
【図３Ｅ】図３Ａ中のＥ−Ｅ断面図である。
【図４】吸収性本体１０を腹側胴回り部３１及び背側胴回り部４１に接合するための接着剤ＨＭＡ１の塗布領域の説明図である。
【図５】図４中のＶ−Ｖ断面図である。
【図６】接着剤ＨＭＡ１の塗布領域のその他の例の説明図である。
【図７】立体ギャザー部ＬＳＧを横方向の外側に乗り越えて漏れ出た排泄物を、フラップ部１０ｆの中間部分１０ｆＭが堰き止める様子を示す概略断面図である。
【図８】図８Ａ乃至図８Ｄは、バックシート１５から立体ギャザー部ＬＳＧ及びフラップ部１０ｆのＺ字状折り畳み部分１０ｆＺを形成する手順の説明図である。
【図９】接着剤ＨＭＡ２，ＨＭＡ３の塗布範囲の説明図であって、展開状態のおむつ１を肌側から見た概略平面図である。
【図１０】第１種乃至第３種の弾性部材１７，１８，１９を説明するための展開状態のおむつ１の概略平面図である。
【図１１】展開状態のおむつ１の腹側胴回り部３１を肌側から見た概略拡大平面図である。
【図１２】第４種の弾性部材２０を説明するための展開状態のおむつ１の概略平面図である。
【図１３】展開状態のおむつ１の腹側胴回り部３１を肌側から見た概略拡大平面図である。
【図１４】背側胴回り部４１を拡大して示す概略平面図である。
【図１５】尻部を覆うための張り出し部４１ｅｘｔ、４１ｅｘｔの説明図である。
【図１６Ａ】Ｚ字状折り畳み部分１０ｆＺの変形例の説明図であって、展開状態のおむつ１を肌側から見た概略平面図である。
【図１６Ｂ】図１６Ａ中のＢ−Ｂ断面図である。
【発明を実施するための形態】
【００１０】
本明細書及び添付図面の記載により、少なくとも以下の事項が明らかとなる。
互いに直交する縦方向と横方向とを有したパンツ型使い捨ておむつであって、
長手方向を有し、前記長手方向の所定位置で二つ折りされつつ前記長手方向を前記縦方向に沿わせて配された吸収性本体と、
前記吸収性本体における前記長手方向の一方側の端部の非肌側面に重ねられて接合された腹側胴回り部と、
前記吸収性本体における前記長手方向の他方側の端部の非肌側面に重ねられて接合された背側胴回り部と、を有し、
前記吸収性本体は、液体を吸収する吸収性コアと、前記吸収性コアよりも前記横方向の外側に突出するシート状のフラップ部と、を有し、
前記フラップ部は、前記横方向にＺ字状に折り畳まれた状態に固定されたＺ字状折り畳み部分を、前記長手方向の前記一方側及び前記他方側にそれぞれ有し、
前記腹側胴回り部及び前記背側胴回り部において前記吸収性コアよりも前記横方向の外側に位置する部分に、それぞれ、前記フラップ部の前記Ｚ字状折り畳み部分が固定されていることを特徴とするパンツ型使い捨ておむつである。
【００１１】
このようなパンツ型使い捨ておむつによれば、当該おむつの脚回り開口を構成する上記のフラップ部は、Ｚ字状折り畳み部分を、吸収性コアよりも横方向の外側の位置、且つ長手方向の両側にそれぞれ有している。よって、フラップ部の横方向の大きさを実質的に大きく確保しながらも、Ｚ字状折り畳み部分からフラップ部に付与される折り癖に基づいて、脚回り開口が小さくなることを抑制することができる。そして、これにより、当該パンツ型使い捨ておむつを着用者が履く際には、着用者の脚を脚回り開口に通し易くしながらも、履いた後には、横方向に実質的に大きい上記フラップ部に基づいて脚回り開口と脚との間の隙間を効果的に埋めることができて、その結果、当該脚回り開口は、良好な防漏性を奏することができる。
また、フラップ部のＺ字状折り畳み部分は、腹側胴回り部よりも肌側に位置しているので、当該Ｚ字状折り畳み部分は、腹側胴回り部によって着用者の肌側へと押されながら、当該肌側へ速やかに突出することができる。例えば、同Ｚ字状折り畳み部分は、へこんだ形状の鼠蹊部の方へと速やかに突出して入り込むことができて、これにより、鼠蹊部の肌との間の隙間を効果的に埋めることができる。そして、このことも、上記の脚回り開口の防漏性の良化に有効に寄与する。
【００１２】
かかるパンツ型使い捨ておむつであって、
前記Ｚ字状折り畳み部分における前記横方向の外縁部を含む所定部分であって、前記腹側胴回り部と重なる部分のうちの前記長手方向の最も内側の部分を含む前記所定部分は、前記腹側胴回り部に固定されない非固定部分であり、
前記Ｚ字状折り畳み部分において前記非固定部分の前記横方向の内側に隣接する部分は、前記腹側胴回り部に固定される固定部分を有し、
前記Ｚ字状折り畳み部分において前記非固定部分の前記長手方向の外側に隣接する部分は、前記腹側胴回り部に固定される固定部分を有しているのが望ましい。
【００１３】
このようなパンツ型使い捨ておむつによれば、Ｚ字状折り畳み部分の上記非固定部分は、腹側胴回り部から離間可能である。よって、その分だけ脚回り開口を実質的に大きくすることができて、その結果、着用者の脚を脚回り開口により通し易くなる。
また、Ｚ字状折り畳み部分において上記非固定部分の横方向の内側に隣接する部分、およびＺ字状折り畳み部分において上記非固定部分の長手方向の外側に隣接する部分は、それぞれ、腹側胴回り部に固定される固定部分を有している。よって、腹側胴回り部にＺ字状折り畳み部分をしっかりと固定することができる。
【００１４】
かかるパンツ型使い捨ておむつであって、
前記Ｚ字状折り畳み部分は、前記横方向の第１折り曲げ位置で前記横方向の内側に折り返されて前記第１折り曲げ位置よりも前記横方向の内側に延びる内折り部と、前記内折り部における第２折り曲げ位置で前記横方向の外側に折り返されて前記第２折り曲げ位置よりも前記横方向の外側に延びる外折り部と、を有し、
前記Ｚ字状折り畳み部分では、前記内折り部と前記外折り部とは、互いに対向する面同士で接合されているとともに、前記フラップ部における前記第１折り曲げ位置よりも前記横方向の内側の部分と前記内折り部とが、互いの対向する面同士で接合されており、
前記外折り部は、前記内折り部よりも前記横方向の外側に突出する部分を有しているのが望ましい。
【００１５】
このようなパンツ型使い捨ておむつによれば、着用者の鼠蹊部に対向し得る上記のＺ字状折り畳み部分は、内折り部と外折り部とが重なって形成された重なり部分を有していて、当該重なり部分は、総じて厚くなっている。よって、当該重なり部分が、へこんだ形状の鼠蹊部に入り込むことで、鼠蹊部の肌との間の隙間を効果的に埋めることができる。そして、これにより、鼠蹊部においても良好な防漏性を奏することができる。
また、外折り部は、内折り部よりも横方向の外側に突出する部分を有している。すなわち、外折り部は、上記の重なり部分よりも横方向の外側に突出する部分を有しているが、この突出する部分は、外折り部が単独で存在する部分である。よって、当該突出する部分は、その低い曲げ剛性に基づいて柔軟に変形し得て、着用者の肌への良好なフィット性を奏し得る。そして、これにより、当該突出する部分は、上記の重なり部分で止められずに鼠蹊部から漏出する排泄物を止める堰として機能し得て、このことも上記の防漏性の良化に有効に寄与する。
【００１６】
かかるパンツ型使い捨ておむつであって、
前記外折り部の前記突出する部分における前記横方向の外縁部を含む所定部分であって、前記腹側胴回り部と重なる部分のうちの前記長手方向の最も内側の部分を含む前記所定部分は、前記腹側胴回り部に固定されない非固定部分であり、
前記外折り部の前記突出する部分において前記非固定部分の前記長手方向の外側に隣接する部分は、前記腹側胴回り部に固定される固定部分を有し、
前記Ｚ字状折り畳み部分において前記非固定部分の前記横方向の内側に隣接する部分は、前記腹側胴回り部に固定される固定部分を有しているのが望ましい。
【００１７】
このようなパンツ型使い捨ておむつによれば、外折り部における上記非固定部分は、腹側胴回り部から離間可能である。よって、その分だけ脚回り開口を実質的に大きくすることができる。
また、同非固定部分は、速やかに腹側胴回り部から起立し得て、その結果、排泄物の漏出を止める堰として有効に機能することができる。
更に、外折り部の上記突出する部分において非固定部分の長手方向の外側に隣接する部分、及びＺ字状折り畳み部分において非固定部分の横方向の内側に隣接する部分は、それぞれ、腹側胴回り部に固定される固定部分を有している。よって、腹側胴回り部にＺ字状折り畳み部分をしっかりと固定することができる。
【００１８】
かかるパンツ型使い捨ておむつであって、
前記吸収性コアは、前記吸収性コアの前記長手方向の両端部よりも前記横方向の寸法が小さい括れ部を、前記長手方向の前記両端部同士の間の位置に有し、
前記吸収性本体に対して前記長手方向の収縮力を付与するための前記長手方向に沿った第１弾性部材を有し、
前記所定位置で前記吸収性本体を前記長手方向に開いて前記吸収性本体の二つ折りを解除した展開状態において前記使い捨ておむつを肌側から見た場合に、
前記吸収性コアの前記両端部では、前記第１弾性部材は、前記吸収性コアに重なっているとともに、前記括れ部では、前記第１弾性部材は、前記吸収性コアに重ならずに前記吸収性コアよりも前記横方向の外側に位置しているのが望ましい。
【００１９】
このようなパンツ型使い捨ておむつによれば、着用者が履いたパンツ型使い捨ておむつにおいて吸収性本体が過度に垂れ下がることを防ぐことができる。すなわち、吸収性本体のうちで上記括れ部が位置する部分及びその近傍部分が、最も下方に垂れ下がり易いが、上記の構成によれば、第１弾性部材は、括れ部に比較的近い位置に位置している。よって、フラップ部を介して括れ部に収縮力を効果的に付与することができる。そして、これにより、当該収縮力に基づいて括れ部を着用者の肌に近づくように持ち上げることができて、吸収性本体が過度に垂れ下がることを防ぐことができる。その結果、着用者と吸収性本体との間の隙間の発生を抑制することができて、総じて、パンツ型使い捨ておむつの防漏性を高めることができる。
【００２０】
かかるパンツ型使い捨ておむつであって、
前記フラップ部の肌側面に設けられた支点に支持されて前記肌側面から起立可能な立体ギャザー部を有し、
前記フラップ部における前記支点と前記吸収性コアの横方向の最外端との間の部分には、前記フラップ部に対して前記長手方向の収縮力を付与するための前記長手方向に沿った第２弾性部材が設けられているのが望ましい。
【００２１】
このようなパンツ型使い捨ておむつによれば、第２弾性部材は、上記支点と吸収性コアの横方向の最外端との間に位置していて、これにより、同第２弾性部材は、吸収性コアに比較的近い位置に位置している。そのため、フラップ部を介して吸収性コアに収縮力を効果的に付与することができる。そして、これにより、同パンツ型使い捨ておむつを着用者が履いた後に、排泄物を吸収性コアが吸収して重くなった場合でも、上記の収縮力に基づいて吸収性コアを着用者の肌に近づくように持ち上げることができる。よって、吸収性本体が過度に垂れ下がることを効果的に防ぐことができる。その結果、着用者と吸収性本体との間の隙間の発生を抑制することができて、総じて、パンツ型使い捨ておむつの防漏性を高めることができる。
【００２２】
かかるパンツ型使い捨ておむつであって、
前記第２弾性部材は、前記収縮力を付与可能な有効部分と、前記有効部分の前記長手方向の両側に位置しつつ前記収縮力を付与不能な無効部分と、を有し、
前記腹側胴回り部に対して前記横方向の収縮力を付与するための前記横方向に沿った腹側弾性部材を複数有するとともに、前記腹側弾性部材は、前記収縮力を付与可能な有効部分と、前記有効部分の前記横方向の両側に位置しつつ、前記収縮力を付与不能な無効部分と、を有し、
前記所定位置で前記吸収性本体を前記長手方向に開いて前記吸収性本体の二つ折りを解除した展開状態において前記使い捨ておむつを肌側から見た場合に、
前記複数の前記腹側弾性部材のうちの少なくとも一つの腹側弾性部材の前記有効部分と、前記第２弾性部材の前記有効部分とが交差する交差位置は、前記フラップ部において前記腹側胴回り部が接合されている領域と重なっているのが望ましい。
【００２３】
このようなパンツ型使い捨ておむつによれば、腹側弾性部材の有効部分と第２弾性部材の有効部分とが交差する交差位置は、フラップ部において腹側胴回り部が接合されている領域と重なっている。よって、腹側胴回り部及びフラップ部を介して、腹側弾性部材の収縮力を第２弾性部材の有効部分に速やかに伝達することができる。そして、これにより、当該腹側弾性部材の収縮力も、第２弾性部材の収縮力がフラップ部を介して行う吸収性本体の肌側への持ち上げに有効に寄与することができて、これにより、吸収性本体の垂れ下がりをより効果的に防ぐことができる。
【００２４】
かかるパンツ型使い捨ておむつであって、
前記フラップ部に対して前記長手方向の収縮力を付与するための第３弾性部材が、前記一方側の前記Ｚ字状折り畳み部分及び前記他方側の前記Ｚ字状折り畳み部分に掛け渡されつつ前記長手方向に沿って設けられており、
前記第３弾性部材は、前記収縮力を付与可能な有効部分と、前記有効部分の前記長手方向の両側に位置しつつ、前記収縮力を付与不能な無効部分と、を有し、
前記腹側胴回り部に対して前記横方向の収縮力を付与するための前記横方向に沿った腹側弾性部材を複数有するとともに、前記腹側弾性部材は、前記収縮力を付与可能な有効部分と、前記有効部分の前記横方向の両側に位置しつつ、前記収縮力を付与不能な無効部分と、を有し、
前記所定位置で前記吸収性本体を前記長手方向に開いて前記吸収性本体の二つ折りを解除した展開状態において前記使い捨ておむつを肌側から見た場合に、
前記フラップ部において前記腹側胴回り部が接合されている領域では、前記複数の前記腹側弾性部材のうちの少なくとも一つの腹側弾性部材の前記有効部分と、前記第３弾性部材の前記有効部分とは交差していないのが望ましい。
【００２５】
このようなパンツ型使い捨ておむつによれば、着用者がパンツ型使い捨ておむつを履くべく同おむつの腹側胴回り部及び背側胴回り部を横方向の両側に引っ張った際に、当該引っ張り力が、腹側胴回り部の腹側弾性部材に伝わるが、このとき、フラップ部において腹側胴回り部が接合されている領域では、複数の腹側弾性部材のうちの少なくとも一つの腹側弾性部材の有効部分と第３弾性部材の有効部分とは交差していない。よって、当該引っ張り力の伝達は、互いの有効部分が交差していない上記腹側弾性部材と上記第３弾性部材の間では概ね行われないようになって、これにより、上記の引っ張り力が作用した場合であっても、フラップ部におけるＺ字状折り畳み部分の近傍部分が横方向の外側に広がることは抑制される。そして、これにより、当該近傍部分が横方向の外側に広がることに起因して脚回り開口が実質的に小さくなってしまうことを防ぐことができて、その結果、当該パンツ型使い捨ておむつを着用者が履く際に、脚回り開口は、着用者の脚を通し易い状態に維持され易くなる。
【００２６】
かかるパンツ型使い捨ておむつであって、
前記背側胴回り部に対して前記横方向の収縮力を付与するための前記横方向に沿った背側弾性部材を複数有し、
前記背側弾性部材は、前記収縮力を付与可能な有効部分と、前記有効部分の前記横方向の両側に位置しつつ、前記収縮力を付与不能な無効部分と、を有し、
前記所定位置で前記吸収性本体を前記長手方向に開いて前記吸収性本体の二つ折りを解除した展開状態において前記使い捨ておむつを肌側から見た場合に、
前記複数の前記背側弾性部材のうちの少なくとも一つの背側弾性部材の前記有効部分の少なくとも一部が、前記背側胴回り部において前記フラップ部の前記Ｚ字状折り畳み部分が接合されている領域に位置しているのが望ましい。
【００２７】
このようなパンツ型使い捨ておむつによれば、背側胴回り部においてフラップ部のＺ字状折り畳み部分が接合されている領域に、背側弾性部材の有効部分の少なくとも一部が位置している。そのため、着用者がパンツ型使い捨ておむつを履くべく同おむつの腹側胴回り部及び背側胴回り部を横方向の両側に引っ張ると、当該引っ張り力は、背側弾性部材の上記有効部分を介してＺ字状折り畳み部分に伝達されて、これにより、フラップ部におけるＺ字状折り畳み部分の近傍部分が横方向の外側に広がる。そして、その結果、当該広がった部分で着用者の尻部を覆うことができる。
【００２８】
かかるパンツ型使い捨ておむつであって、
前記Ｚ字状折り畳み部分は、前記横方向の第１折り曲げ位置で前記横方向の内側に折り返されて、前記第１折り曲げ位置よりも前記横方向の内側に延びる内折り部と、前記内折り部における第２折り曲げ位置で前記横方向の外側に折り返されて、前記第２折り曲げ位置よりも前記横方向の外側に延びる外折り部と、を有し、
前記Ｚ字状折り畳み部分では、前記内折り部と前記外折り部とは、互いに対向する面同士で接合されているとともに、前記フラップ部における前記第１折り曲げ位置よりも前記横方向の内側の部分と前記内折り部とが、互いの対向する面同士で接合されており、
前記フラップ部は、液不透過性シートを有しているとともに、前記液不透過性シートは、前記内折り部及び前記外折り部へと前記横方向に延在して配されているとともに、前記外折り部の前記横方向の先端部は、前記液不透過性シートが配置されない非配置部分とされており、
前記非配置部分には、当該非配置部分に対して前記長手方向の収縮力を付与するための前記長手方向に沿った第５弾性部材が設けられているのが望ましい。
【００２９】
このようなパンツ型使い捨ておむつによれば、フラップ部の液不透過性シートによって内折り部及び外折り部の防漏性は高められている。よって、脚回り開口は、より良好な防漏性を奏することができる。
また、外折り部の先端部には、上記の液不透過性シートが配されていないので、当該液不透過性シートの存在に起因した上記先端部の肌触りの悪化を防ぐことができる。
更に、当該先端部は、上記の第５弾性部材の収縮力によって着用者の脚に密着することができて、このことも、脚回り開口の防漏性の良化に有効に寄与する。
【００３０】
かかるパンツ型使い捨ておむつであって、
前記フラップ部の肌側面に設定された支点に支持されて前記肌側面から起立可能な立体ギャザー部を有し、
前記フラップ部は、前記一方側の前記Ｚ字状折り畳み部分と前記他方側の前記Ｚ字状折り畳み部分との間の位置に、折り畳み状態に固定されていない中間部分を有し、
前記中間部分が折り畳まれていない前記横方向に広がった状態において、前記支点から前記中間部分の前記横方向の先端部までの長さの最大値は、前記支点から前記立体ギャザー部の前記横方向の先端部までの長さの最大値よりも大きいのが望ましい。
【００３１】
このようなパンツ型使い捨ておむつによれば、立体ギャザー部は、フラップ部の上記中間部分における横方向の先端部よりも横方向の内側に位置している。また、上記支点から立体ギャザー部の横方向の先端部までの長さの最大値よりも、同支点から上記中間部分の横方向の先端部までの長さの最大値の方が大きくなっている。よって、立体ギャザーを横方向の外側に越えて漏れ出た排泄物を、上記中間部分の先端部で堰き止めることができて、これにより、脚回り開口は、より良好な防漏性を奏することができる。
【００３２】
かかるパンツ型使い捨ておむつであって、
前記Ｚ字状折り畳み部分は、前記横方向の第１折り曲げ位置で前記横方向の内側に折り返されて前記第１折り曲げ位置よりも前記横方向の内側に延びる内折り部と、前記内折り部における第２折り曲げ位置で前記横方向の外側に折り返されて前記第２折り曲げ位置よりも前記横方向の外側に延びる外折り部と、を有し、
前記フラップ部は、前記一方側の前記Ｚ字状折り畳み部分と前記他方側の前記Ｚ字状折り畳み部分との間の位置に、折り畳み状態に固定されていない中間部分を有し、
前記中間部分において前記一方側の前記内折り部と前記他方側の前記内折り部との間に位置する部分を、中間部分内折り部と定義するとともに、前記中間部分において前記一方側の前記外折り部と前記他方側の前記外折り部との間に位置する部分を、中間部分外折り部と定義した場合に、
前記中間部分内折り部に前記長手方向の収縮力を付与するための１本又は複数本の内折り部用弾性部材が、前記一方側の前記内折り部及び前記他方側の前記内折り部に掛け渡されつつ前記長手方向に沿って設けられており、
前記中間部分外折り部に前記長手方向の収縮力を付与するための１本又は複数本の外折り部用弾性部材が、前記一方側の前記外折り部及び前記他方側の前記外折り部に掛け渡されつつ前記長手方向に沿って設けられており、
前記内折り部用弾性部材によって前記中間部分内折り部に付与された前記横方向に単位長さ当たりの前記長手方向の収縮力の大きさ（Ｎ／ｃｍ）が、前記外折り部用弾性部材によって前記中間部分外折り部に付与された前記横方向に単位長さ当たりの前記長手方向の収縮力（Ｎ／ｃｍ）よりも大きいのが望ましい。
【００３３】
このようなパンツ型使い捨ておむつによれば、着用時にフラップ部の上記中間部分が起立する際に、中間部分外折り部に比べて中間部分内折り部の方が長手方向に大きく収縮するので、中間部分外折り部はやや外向きに倒れた状態となる。そして、このことと、横方向の外側に広がることができるＺ折り構造とが相俟って、中間部分外折り部が面で広がった状態で着用者の身体に当接するようになる。
【００３４】
＝＝＝本実施形態＝＝＝
図２は、本実施形態のパンツ型使い捨ておむつ１の一例としての３ピースタイプのおむつ１を腹側から見た概略斜視図である。また、図３Ａは、展開状態のおむつ１を肌側から見た概略平面図である。更に、図３Ｂは、図３Ａ中のＢ−Ｂ断面図であり、図３Ｃは、図３Ａ中のＣ−Ｃ断面図であり、図３Ｄは、図３Ａ中のＤ−Ｄ断面図であり、図３Ｅは、図３Ａ中のＥ−Ｅ断面図である。
【００３５】
このおむつ１は、図２のパンツ型状態において、互いに直交する三方向として縦方向と横方向と前後方向とを有している。そして、以下では、このパンツ型状態における縦方向の一方側及び他方側のことを、それぞれ「胴回り開口側」及び「股下側」とも言い、また、前後方向の前側及び後側のことを、それぞれ「腹側」及び「背側」とも言う。
【００３６】
一方、図３Ａ乃至図３Ｃの展開状態においては、おむつ１は、互いに直交する三方向として長手方向と幅方向と厚さ方向とを有している。そして、以下では、この展開状態における長手方向の一方側及び他方側のことを、それぞれ「腹側」及び「背側」とも言い、また、厚さ方向の一方側及び他方側のことを、それぞれ「肌側」及び「非肌側」とも言う。
【００３７】
なお、展開状態における上記の幅方向は、パンツ型状態における上記の横方向と同じ方向である。そのため、以下では、幅方向のことを「横方向」とも言うとともに、横方向の一方側及び他方側のことを、それぞれ「左側」及び「右側」とも言う。また、展開状態の長手方向は、パンツ型状態の縦方向に沿っているとともに、展開状態の厚さ方向は、パンツ型状態の前後方向に沿っている。
【００３８】
更に、図３Ａ中のＣ−Ｃ断面、Ｄ−Ｄ断面、及びＥ−Ｅ断面でのおむつ１の形状は、それぞれ、同おむつ１の横方向の中央位置ＣＬ１ｗに関して線対称形状であり、つまり、左右対称形状である。そのため、図３Ｃ、図３Ｄ、及び図３Ｅ中では、それぞれ、おむつ１の横方向の中央位置ＣＬ１ｗよりも右半分の部分のみを示している。そして、以下では、説明で適宜現れる各種部分における左右対称形状の部分については、左右を代表して、右側の部分についてのみ説明し、左側の部分については説明しないことがある。
【００３９】
このおむつ１は所謂３ピースタイプであることから、図３Ａの展開状態において、第１部品として、排泄物を吸収する吸収性本体１０を有し、第２部品として横長帯状の腹側胴回り部３１を有し、第３部品として横長帯状の背側胴回り部４１を有している。詳しくは、腹側胴回り部３１と背側胴回り部４１とが長手方向に間隔をあけて平行に並んだ状態において、これら両者３１，４１同士の間に吸収性本体１０が掛け渡されつつ、同吸収性本体１０の長手方向の各端部１０ｅａ，１０ｅｂがそれぞれ最寄りの各胴回り部３１，４１に接合固定されていて、その外観形状は平面視略Ｈ形状をなしている。
そして、この略Ｈ形状の展開状態から、吸収性本体１０の長手方向の所定位置ＣＬ１０（長手方向におけるおむつ１の中央位置ＣＬ１に相当する位置）を折り位置として同吸収性本体１０が二つ折りされるとともに、この二つ折りの状態において互いに対向する胴回り部３１，４１同士が横方向の各端部３１ｅ，４１ｅにて溶着等で接合されると、これら胴回り部３１，４１同士が環状に繋がって、これにより、図２に示すような胴回り開口ＢＨ及び一対の脚回り開口ＬＨ，ＬＨが形成されたパンツ型状態のおむつ１となる。
【００４０】
ちなみに、上述から明らかなように、「展開状態」とは、図２のパンツ型状態のおむつ１の横方向の各端部３１ｅ，４１ｅで胴回り部３１，４１同士の接合を解くとともに、上記所定位置ＣＬ１０（ＣＬ１）で吸収性本体１０を長手方向に開いて吸収性本体１０の二つ折りを解除した状態（つまり、図３Ａの状態）のことである。
【００４１】
また、以下では、展開状態及びパンツ型状態のどちらについても、おむつ１に伸縮性を付与するための後述の弾性部材１６，１７，１８，１９，２０，３５，４５による収縮力が全く無いものと仮想しておむつ１が広がった状態のことを「型紙状態」と言う。また、おむつ１に外力が作用しない状態、すなわち、同おむつ１が上記弾性部材１６，１７，１８，１９，２０，３５，４５の収縮力によって収縮した状態のことを「自然状態」と言う。ちなみに、図３Ａ乃至図３Ｄでは、展開状態のおむつ１を型紙状態で示している。
【００４２】
図３Ａ及び図３Ｂの展開状態においては、吸収性本体１０は、平面視略長方形状をなしている。そして、吸収性本体１０の長手方向が、展開状態のおむつ１の長手方向に沿うように配されている。なお、おむつ１の長手方向と吸収性本体１０の長手方向とは、互いに同じ方向を向いていることから、以下では、区別せずに、どちらも「長手方向」と言う。
【００４３】
吸収性本体１０は、吸収体１１と、同吸収体１１を肌側から覆って設けられたトップシート１３と、同吸収体１１を非肌側から覆って設けられたバックシート１５と、を備えている。
【００４４】
吸収体１１は、液体吸収性の吸収性コア１１ｃと、同コア１１ｃの外周面を被覆する不図示のコアラップシートと、を有する。吸収性コア１１ｃは、所定の液体吸収性素材を所定形状の一例としての平面視略砂時計形状に成形した成形体である。すなわち、吸収性コア１１ｃは、同コア１１ｃの長手方向の両端部１１ｃｅａ，１１ｃｅｂよりも横方向の寸法が小さい括れ部１１ｃｋを、長手方向の両端部１１ｃｅａ，１１ｃｅｂ同士の間の位置に有している。なお、液体吸収性素材としては、パルプ繊維等の液体吸収性繊維や、高吸収性ポリマー（所謂ＳＡＰ）等の液体吸収性粒状物を例示できる。また、コアラップシートには、ティッシュペーパーや不織布等の液透過性シートを使用可能であるが、コアラップシートについては無くても良い。更に、吸収性コア１１ｃの形状は、何等上記の平面視略砂時計形状に限らず、他の形状でも良い。
【００４５】
トップシート１３は、吸収体１１から長手方向及び横方向に突出するような平面サイズの不織布等の液透過性のシートである。そして、図３Ｂ及び図３Ｃに示すように、同シート１３は、吸収体１１の肌側面を覆いつつ、同シート１３の横方向の各端部１３ｅは、吸収体１１の非肌側の位置で、横方向の内側に巻き込まれていて、これにより、吸収体１１の非肌側面における横方向の各端部１１ｅを覆いつつ不図示の接着剤等で固定されている。
【００４６】
一方、バックシート１５も、図３Ａ乃至図３Ｃに示すように、吸収体１１から長手方向及び横方向に突出するような平面サイズのシートであり、ここでは、ポリエチレンフィルムやポリプロピレンフィルム等の液不透過性の防漏シート１５ａと、防漏シート１５ａの非肌側に接合された不織布製の外装シート１５ｂとを有した二層構造のシート１５が使用されている（図３Ｂ及び図３Ｃ）。そして、図３Ｃに示すように、バックシート１５の肌側面における横方向の中央部に、トップシート１３で覆われた吸収体１１が載置されつつ、不図示の接着剤等で接合されることにより、吸収性本体１０が概ね形成されている。
【００４７】
また、図３Ａ及び図３Ｃに示すように、かかるバックシート１５は、吸収性コア１１ｃよりも横方向の両側に大きく突出していて、これにより、各突出する部分１５ｐｗが、それぞれ、脚回り開口ＬＨを構成するシート状のフラップ部１０ｆを形成しているが、これについては後述する。また、同バックシート１５は、横漏れ防止用に立体ギャザー部ＬＳＧも形成しているが、これについても後述する。
【００４８】
図３Ａに示すように、腹側胴回り部３１は、不織布等の柔軟なシートを素材とした平面視略矩形形状で横長のシート部材である。この例では、図３Ｂ及び図３Ｃに示すように、不織布３２，３３を二枚重ねに接合することで腹側胴回り部３１は形成されている。そして、図３Ａに示すように、腹側胴回り部３１の横方向の中央部が、吸収性本体１０における長手方向の腹側の端部１０ｅａの非肌側面に重ねられて接着剤ＨＭＡ１（図４中のドット模様の領域を参照）で接合されている。
【００４９】
また、図３Ａ乃至図３Ｃに示すように、腹側胴回り部３１に係る２枚の不織布３２，３３同士の間には、横方向に沿った糸ゴム等の複数本の弾性部材３５，３５…がおむつ１の長手方向に並んで介挿されつつ、横方向に伸長下で同不織布３２，３３に接合固定されている。そして、これにより、腹側胴回り部３１には横方向の収縮力が付与されている。つまり、腹側胴回り部３１には、横方向の伸縮性が付与されている。また、この例では、図３Ａに示すように、腹側胴回り部３１において吸収体１１と重なる部分の一部（例えば、横方向の中央部）については、吸収体１１の皺の発生を防ぐ等の目的で、弾性部材３５が非連続とされていて、これにより、この部分については伸縮性が付与されていない。すなわち、腹側胴回り部３１において胴回り開口ＢＨ側に位置する弾性部材３５，３５…については、横方向の全長に亘って連続した連続弾性部材３５ｃ，３５ｃ…とされているが、同腹側胴回り部３１において股下側に位置する弾性部材３５，３５…については、横方向の中央部で非連続となった非連続弾性部材３５ｎ，３５ｎ…とされている。より詳しくは、後者の非連続弾性部材３５ｎは、横方向の中央の非連続位置よりも左側に位置する左側弾性部材３５ｎＬと、同非連続位置よりも右側に位置する右側弾性部材３５ｎＲと、を有している。そして、左側弾性部材３５ｎＬの左端部３５ｎＬｅＬは、腹側胴回り部３１の左側の端部３１ｅに位置しているとともに、同右端部３５ｎＬｅＲは、吸収性コア１１ｃの左端部に位置している。また、右側弾性部材３５ｎＲの右端部３５ｎＲｅＲは、腹側胴回り部３１の右側の端部３１ｅに位置しているとともに、同左端部３５ｎＲｅＬは、吸収性コア１１ｃの右端部に位置している。但し、何等これに限らない。
【００５０】
同図３Ａに示すように、背側胴回り部４１は、不織布等の柔軟なシートを素材とした平面視略矩形形状で横長のシート部材である。この例では、図３Ｂ及び図３Ｃに示すように、不織布４２，４３を二枚重ねに接合することで背側胴回り部４１は形成されている。そして、図３Ａに示すように、背側胴回り部４１の横方向の中央部が、吸収性本体１０における長手方向の背側の端部１０ｅｂの非肌側面に重ねられて接着剤ＨＭＡ１（図４中のドット模様の領域を参照）で接合されている。
【００５１】
また、図３Ａ乃至図３Ｃに示すように、背側胴回り部４１に係る２枚の不織布４２，４３同士の間には、横方向に沿った糸ゴム等の複数本の弾性部材４５，４５…がおむつ１の長手方向に並んで介挿されつつ、横方向に伸長下で同不織布４２，４３に接合固定されている。そして、これにより、背側胴回り部４１には横方向の収縮力が付与されている。つまり、背側胴回り部４１には、横方向の伸縮性が付与されている。また、この例では、図３Ａに示すように、背側胴回り部４１において吸収体１１と重なる部分の一部（例えば、横方向の中央部）については、吸収体１１の皺の発生を防ぐ等の目的で、弾性部材４５，４５…が非連続とされていて、これにより、この部分については伸縮性が付与されていない。すなわち、背側胴回り部４１において胴回り開口ＢＨ側に位置する弾性部材４５，４５…については、横方向の全長に亘って連続した連続弾性部材４５ｃ，４５ｃ…とされているが、同背側胴回り部４１において股下側に位置する弾性部材４５ｎ，４５ｎ…については、横方向の中央部で非連続となった非連続弾性部材４５ｎ，４５ｎ…とされている。より詳しくは、後者の非連続弾性部材４５ｎは、横方向の中央の非連続位置よりも左側に位置する左側弾性部材４５ｎＬと、同非連続位置よりも右側に位置する右側弾性部材４５ｎＲと、を有している。そして、左側弾性部材４５ｎＬの左端部４５ｎＬｅＬは、背側胴回り部の左側の端部４１ｅに位置しているとともに、同右端部４５ｎＬｅＲは、吸収性本体１０の左端部に位置している。また、右側弾性部材４５ｎＲの右端部４５ｎＲｅＲは、背側胴回り部４１の右側の端部４１ｅに位置しているとともに、同左端部４５ｎＲｅＬは、吸収性本体１０の右端部に位置している。但し、何等これに限らない。
【００５２】
以上、おむつ１の主な構成部品１０，３１，４１について説明したが、本実施形態では、図２のパンツ型状態のおむつ１を着用者が履く際に、着用者の脚を脚回り開口ＬＨに通し易くしながらも、履いた後には良好な防漏性を脚回り開口ＬＨが奏するように工夫されている。以下、この工夫について説明する。
図３Ａに示すように、吸収性本体１０は、横方向の両側にそれぞれフラップ部１０ｆ，１０ｆを有している。フラップ部１０ｆは、脚回り開口ＬＨを構成するものである。そして、同フラップ部１０ｆは、バックシート１５において吸収性コア１１ｃよりも横方向の外側に突出する部分で形成されていることから、柔軟に変形可能なシート状をなしている。
【００５３】
また、図３Ａ、図３Ｃ、及び図３Ｄに示すように、フラップ部１０ｆは、横方向にＺ字状に折り畳まれた状態に固定されたＺ字状折り畳み部分１０ｆＺ，１０ｆＺを、長手方向の腹側及び背側にそれぞれ有する。そして、腹側胴回り部３１及び背側胴回り部４１において吸収性コア１１ｃよりも横方向の外側に位置する部分に、それぞれ、腹側のＺ字状折り畳み部分１０ｆＺ及び背側のＺ字状折り畳み部分１０ｆＺは接着剤ＨＭＡ１で固定されている。
【００５４】
よって、フラップ部１０ｆを横方向に広げた場合のフラップ部１０ｆの横方向の寸法を実質的に大きく確保しながらも、長手方向の腹側及び背側の各Ｚ字状折り畳み部分１０ｆＺ，１０ｆＺがフラップ部１０ｆに付与し得る折り癖に基づいて、脚回り開口ＬＨが過度に小さくなることを抑制することができる。
すなわち、図３Ａのフラップ部１０ｆにおいて腹側のＺ字状折り畳み部分１０ｆＺと背側のＺ字状折り畳み部分１０ｆＺとの間に位置する部分１０ｆＭ（以下、中間部分１０ｆＭとも言う）は、フラップ部１０ｆにおいてＺ字状の折り畳み状態に固定されていない部分１０ｆＭであるが、当該中間部分１０ｆＭには、その両側に位置する上記の各Ｚ字状折り畳み部分１０ｆＺ，１０ｆＺから多少の折り癖が付与されて、これにより、脚回り開口ＬＨが過度に小さくなることは抑制される。よって、当該おむつ１を着用者が履く際に、着用者の脚を脚回り開口ＬＨに通し易くすることができる。一方、同中間部分１０ｆＭは、その折り畳み状態が解除されることで、図３Ｅ中に２点差線で示すように横方向に広がることができて、これにより、当該中間部分１０ｆＭの横方向の寸法を大きくすることができる。よって、おむつ１を履いた後には、当該大きなフラップ部１０ｆに基づいて脚回り開口ＬＨと脚との間の隙間を効果的に埋めることができて、その結果、当該脚回り開口ＬＨは、良好な防漏性を奏することができる。
【００５５】
また、上記のようにフラップ部１０ｆの大きさを実質的に大きくすることで、フラップ部１０ｆの吸収性コア１１ｃからの起立高さを十分に確保できるとともに（図３Ｅ）、着用者の臀部の位置でフラップ部１０ｆの広さを確保することができて、これにより、臀部を確実に覆うことができる。そして、これら起立高さの確保及び臀部での広さの確保に基づいて、吸収性本体１０の左右のフラップ部１０ｆ，１０ｆ同士で囲まれた領域に形成される排泄物収容空間を増大して、これを大きく確保することができる。そして、このことも、上述の防漏性の良化に有効に寄与する。
【００５６】
なお、この例では、各Ｚ字状折り畳み部分１０ｆＺは、次のようにして形成されている。先ず、図３Ｃ及び図３Ｄに示すように、バックシート１５において吸収性コア１１ｃから横方向に突出する部分は、横方向の第１折り曲げ位置Ｐ１で横方向の内側且つ肌側に折り返されていて、これにより、当該第１折り曲げ位置Ｐ１よりも横方向の内側に延びる内折り部１０ｆＺ１が形成されている。また、内折り部１０ｆＺ１は、吸収性コア１１ｃよりも横方向の外側に位置する第２折り曲げ位置Ｐ２で横方向の外側且つ肌側に折り返されていて、これにより、第２折り曲げ位置Ｐ２よりも横方向の外側に延びる外折り部１０ｆＺ２が形成されている。そして、内折り部１０ｆＺ１と外折り部１０ｆＺ２とが、互いの対向する面同士で接着剤ＨＭＡ２により接合され、また、フラップ部１０ｆにおける第１折り曲げ位置Ｐ１よりも横方向の内側の部分１０ｆｋと内折り部１０ｆＺ１とが、互いの対向する面同士で接着剤ＨＭＡ３により接合されていて、これにより、内折り部１０ｆＺ１及び外折り部１０ｆＺ２は、Ｚ字状に折り畳まれた状態に固定されている。
【００５７】
そして、このようなＺ字状折り畳み部分１０ｆＺによれば、着用者の鼠蹊部からの排泄物の漏出についても効果的に防ぐことができる。すなわち、図３Ｃに示すように、先ず、腹側のＺ字状折り畳み部分１０ｆＺは、腹側胴回り部３１よりも肌側に位置している。そのため、当該Ｚ字状折り畳み部分１０ｆＺは、腹側胴回り部３１によって着用者の肌側へと押されながら、当該肌側へ速やかに突出することができる。また、このＺ字状折り畳み部分１０ｆＺは、内折り部１０ｆＺ１と外折り部１０ｆＺ２とが重なって形成された重なり部分１０ｆＺｋを有していて、この重なり部分１０ｆＺｋは、総じて厚くなっている。そして、このＺ字状折り畳み部分１０ｆＺは、着用者の鼠蹊部に対向し得る部分である（図３Ａ）。よって、当該重なり部分１０ｆＺｋが、へこんだ形状の鼠蹊部に入り込むことで、鼠蹊部の肌との間の隙間を効果的に埋めることができて、これにより、鼠蹊部においても良好な防漏性を奏することができる。
【００５８】
また、図３Ｃを参照してわかるように、この例では、外折り部１０ｆＺ２は、内折り部１０ｆＺ１よりも横方向の外側に突出する部分１０ｆＺ２ｐを有している。すなわち、外折り部１０ｆＺ２は、上記の重なり部分１０ｆＺｋよりも横方向の外側に突出する部分１０ｆＺ２ｐを有しているが、この突出する部分１０ｆＺ２ｐは、外折り部１０ｆＺ２が単独で存在する部分である。よって、当該突出する部分１０ｆＺ２ｐは、その低い曲げ剛性に基づいて柔軟に変形し得て、着用者の肌への良好なフィット性を奏し得る。そして、これにより、当該突出する部分１０ｆＺ２ｐは、上記の重なる部分１０ｆＺｋで止められずに鼠蹊部から漏出する排泄物を止める堰として機能し得て、このことも上記の防漏性の良化に有効に寄与する。
【００５９】
更に、このＺ字状折り畳み部分１０ｆＺを長手方向の腹側に設けることにより、股下に向かって幅（横方向の寸法）が狭くなる着用者の鼠蹊部の位置において、フラップ部１０ｆの幅（横方向の寸法）を狭くした状態にできて、これにより、同鼠蹊部に適切に当接させることができる。そして、このことも、上記の防漏性の良化に有効に寄与する。
【００６０】
図４は、吸収性本体１０を腹側胴回り部３１及び背側胴回り部４１に接合するための接着剤ＨＭＡ１の塗布領域の説明図である。なお同図４中では、接着剤ＨＭＡ１の塗布領域を２点鎖線で囲みつつ、同領域にドット模様を付して示している。また、図５は、図４中のＶ−Ｖ断面図である。
同図４に示すように、吸収性本体１０の腹側の端部１０ｅａが、腹側胴回り部３１の肌側面に接着剤ＨＭＡ１で接合される際には、腹側のＺ字状折り畳み部分１０ｆＺにおける大半の部分は、腹側胴回り部３１の肌側面に接着剤ＨＭＡ１で固定される。但し、この例では、Ｚ字状折り畳み部分１０ｆＺの一部については、固定されないようになっている。すなわち、外折り部１０ｆＺ２の上記突出する部分１０ｆＺ２ｐにおける横方向の外縁部を含む所定部分１０ｆＺ２ｐ１であって、腹側胴回り部３１と重なる部分のうちの長手方向の最も内側の部分を含む上記所定部分１０ｆＺ２ｐ１は、接着剤ＨＭＡ１が塗布されない部分であり、つまり、腹側胴回り部３１に接着剤ＨＭＡ１で固定されない非固定部分１０ｆＺ２ｐ１となっている。
【００６１】
よって、図５に示すように、当該非固定部分１０ｆＺ２ｐ１は、腹側胴回り部３１から離間可能であり、その分だけ脚回り開口ＬＨを実質的に大きくすることができる。そして、このことも、脚を脚回り開口ＬＨに通し易くすることに有効に寄与する。また、この非固定部分１０ｆＺ２ｐ１は、図５中に２点鎖線で示すように速やかに腹側胴回り部３１から起立することができる。よって、排泄物の漏出を止める堰としても有効に機能することができる。
【００６２】
また、図４に示すように、上記突出する部分１０ｆＺ２ｐにおいて非固定部分１０ｆＺ２ｐ１の長手方向の外側に隣接する部分１０ｆＺ２ｐ２、及びＺ字状折り畳み部分１０ｆＺにおいて非固定部分１０ｆＺ２ｐ１の横方向の内側に隣接する部分１０ｆＺ２ｐ３は、それぞれ、腹側胴回り部３１に接着剤ＨＭＡ１で固定される固定部分を有している。よって、腹側胴回り部３１にＺ字状折り畳み部分１０ｆＺをしっかりと固定することができる。
【００６３】
一方、同図４に示すように、背側胴回り部４１上に位置する背側のＺ字状折り畳み部分１０ｆＺについては、上述のような非固定部分１０ｆＺ２ｐ１は設けられていない。すなわち、外折り部１０ｆＺ２の上記突出する部分１０ｆＺ２ｐにおける横方向の外縁部を含む所定部分１０ｆＺ２ｐ４であって、背側胴回り部４１と重なる部分のうちの長手方向の最も内側の部分を含む上記所定部分１０ｆＺ２ｐ４は、背側胴回り部４１に接着剤ＨＭＡ１で固定された固定部分を有している。そして、これにより、フラップ部１０ｆが横方向に広がった状態に維持され易くして、同フラップ部１０ｆで着用者の尻部をしっかりと覆うようにしている。
しかし、何等これに限らず、例えば、上述の腹側のＺ字状折り畳み部分１０ｆＺと同様にしても良い。すなわち、図６に示すように、上記の所定部分１０ｆＺ２ｐ４を、背側胴回り部４１に固定されない非固定部分１０ｆＺ２ｐ４としても良い。また、その場合に、上記突出する部分１０ｆＺ２ｐにおいて非固定部分１０ｆＺ２ｐ４の長手方向の外側に隣接する部分１０ｆＺ２ｐ５、及びＺ字状折り畳み部分１０ｆＺにおいて非固定部分１０ｆＺ２ｐ４の横方向の内側に隣接する部分１０ｆＺ２ｐ６が、それぞれ、背側胴回り部４１に接着剤ＨＭＡ１で固定された固定部分を有するようにしても良い。そして、このようにしていれば、前者の非固定部分１０ｆＺ２ｐ４に基づいて脚回り開口ＬＨを実質的に大きくできるとともに、後者の固定部分に基づいてＺ字状折り畳み部分１０ｆＺを背側胴回り部４１にしっかりと固定可能となる。
【００６４】
また、図３Ａ、図３Ｃ、図３Ｄ、及び図３Ｅに示すように、この例では、フラップ部１０ｆの肌側面に、当該肌側面から起立可能な立体ギャザー部ＬＳＧが長手方向に沿って形成されている。立体ギャザー部ＬＳＧは、長手方向に沿ったシート状部材１５ＬＳＧを本体とし、全体的にＺ字状折り畳み部分１０ｆＺよりも横方向の内側に位置している。そして、図３Ｃに示すように、上記のシート状部材１５ＬＳＧの横方向の外端部１５ＬＳＧｅｗが、フラップ部１０ｆの肌側面に接着剤ＨＭＡ４で固定されていて、これにより、かかるシート状部材１５ＬＳＧにおいて接着剤ＨＭＡ４から横方向の内側に延びる延在部分１５ＬＳＧｐが、上記接着剤ＨＭＡ４を支点としてフラップ部１０ｆの肌側面から起立可能となっている。なお、この例では、かかる延在部分１５ＬＳＧｐは、吸収性コア１１ｃに重なる位置まで横方向の内側に延在している。また、起立するための力は、糸ゴム等の弾性部材１６によって付与される。すなわち、延在部分１５ＬＳＧｐにおいて横方向の内側に位置する先端部には、長手方向に沿って弾性部材１６が長手方向に伸長下で固定されていて、これにより、延在部分１５ＬＳＧｐには長手方向の収縮力が付与されている。そして、かかる収縮力に基づいて延在部分１５ＬＳＧｐが複数の襞を形成しながら長手方向に収縮して、その結果、当該延在部分１５ＬＳＧｐが、立体ギャザー部ＬＳＧとしてフラップ部１０ｆの肌側面から起立する。
【００６５】
なお、図３Ａ、図３Ｃ、及び図３Ｄに示すように、かかる延在部分１５ＬＳＧｐにおける長手方向の各端部１５ＬＳＧｐｅ，１５ＬＳＧｐｅは、それぞれ、トップシート１３の肌側面に伏せられた状態で固定されている。すなわち、これら各端部１５ＬＳＧｐｅ，１５ＬＳＧｐｅは、トップシート１３の肌側面に重ねられて同面に接着剤ＨＭＡ５で接合されている。そして、これにより、延在部分１５ＬＳＧｐが、全体として横方向の内側に延びた状態に維持されるようになっている。
【００６６】
また、この例では、図３Ｃに示すように、上記支点となる接着剤ＨＭＡ４の横方向の設定位置は、Ｚ字状折り畳み部分１０ｆＺの第１折り曲げ位置Ｐ１と第２折り曲げ位置Ｐ２との間に設定されているが、何等これに限らない。例えば、第２折り曲げ位置Ｐ２よりも横方向の内側に設定されていても良い。
【００６７】
更に、フラップ部１０ｆにおける前述の中間部分１０ｆＭは、前述のように、Ｚ折り状態に固定されていない部分であることから、図３Ｅに示すように、折り畳まれた状態から解除されて横方向に広がることができるが、ここで、望ましくは、当該中間部分１０ｆＭが横方向に広がった状態において、上記支点ＨＭＡ４から上記中間部分１０ｆＭの横方向の先端部１０ｆＭｅまでの長さの最大値Ｌ１０ｆＭが、同支点ＨＭＡ４から立体ギャザー部ＬＳＧの横方向の先端部ＬＳＧｅまでの長さの最大値ＬＬＳＧよりも大きくなっていると良い。そして、このようになっていれば、図７に示すように、立体ギャザー部ＬＳＧを横方向の外側に乗り越えて漏れ出た排泄物を、上記中間部分１０ｆＭで堰き止めることができて、これにより、脚回り開口ＬＨは、より良好な防漏性を奏することができる。
【００６８】
また、この例では、この立体ギャザー部ＬＳＧも、フラップ部１０ｆと同様にバックシート１５で形成されている。すなわち、前述の立体ギャザー部ＬＳＧの本体をなす前述のシート状部材１５ＬＳＧ（図３Ａ）は、バックシート１５の一部から形成されている。  
図８Ａ乃至図８Ｄは、このバックシート１５から立体ギャザー部ＬＳＧ及びフラップ部１０ｆのＺ字状折り畳み部分１０ｆＺを形成する手順の説明図である。既述のように、バックシート１５は、外装シート１５ｂと、外装シート１５ｂの肌側面に接合された防漏シート１５ａと、を有する。また、外装シート１５ｂは、防漏シート１５ａから横方向の両側に突出するような平面サイズを有している。よって、図８Ａ及び図８Ｂに示すように、先ず、外装シート１５ｂのうちで防漏シート１５ａよりも横方向の外側に突出する部分１５ｐが、防漏シート１５ａが無い位置を折り曲げ位置Ｐ３として横方向の内側且つ肌側に折り返される。そして、図８Ｂに示すように、折り返された部分１５ｐが横方向の複数の位置の各接着剤ＨＭＡ４，ＨＭＡ４−１，ＨＭＡ４−２で防漏シート１５ａの肌側面に固定される。なお、ここで、当該複数の位置の各接着剤ＨＭＡ４，ＨＭＡ４−１，ＨＭＡ４−２のうちで横方向の最も内側に位置する接着剤ＨＭＡ４は、前述の立体ギャザー部ＬＳＧの支点となる接着剤ＨＭＡ４である。よって、上記の折り返された部分１５ｐのうちで上記の接着剤ＨＭＡ４よりも横方向の内側に位置する部分１５ｐ１が立体ギャザー部ＬＳＧとなる。
【００６９】
一方、図８Ｂに示すように、折り返された部分１５ｐのうちで上記の接着剤ＨＭＡ４よりも横方向の外側に位置する部分１５ｐ２は、当該部分１５ｐ２が重なる防漏シート１５ａ及び防漏シート１５ａの非肌側に位置する外装シート１５ｂの両者と共同することにより、三層構造のシート状部分１５ｔを形成している。すなわち、当該シート状部分１５ｔは、防漏シート１５ａの両面を各外装シート１５ｂ（１５ｐ２），１５ｂで挟んでなる三層構造となっている。そして、この三層構造のシート状部分１５ｔが、図８Ｃ及び図８Ｄに示すように、横方向にＺ字状に折り曲げられて、前述のＺ字状折り畳み部分１０ｆＺが形成される。すなわち、図８Ｃに示すように、当該三層構造のシート状部分１５ｔが、前述の第１折り曲げ位置Ｐ１で横方向の内側且つ肌側に折り返されることにより、前述の内折り部１０ｆＺ１が形成され、更に、図８Ｄに示すように、内折り部１０ｆＺ１が前述の第２折り曲げ位置Ｐ２で横方向の外側且つ肌側に折り返されることにより、前述の外折り部１０ｆＺ２が形成される。そして、前述の接着剤ＨＭＡ２，ＨＭＡ３で、この折り返し状態に固定されることによって、Ｚ字状折り畳み部分１０ｆＺが形成されている。
【００７０】
図９は、Ｚ字状折り畳み部分１０ｆＺに設けられる接着剤ＨＭＡ２及び接着剤ＨＭＡ３の塗布範囲の説明図であって、展開状態のおむつ１を肌側から見た概略平面図である。  
同図９に示すように、どちらの接着剤ＨＭＡ２及び接着剤ＨＭＡ３も、横方向よりも長手方向に長い平面視略矩形状に塗布されている。また、前者の接着剤ＨＭＡ２の方は、前述のように、Ｚ字状折り畳み部分１０ｆＺにおいて内折り部１０ｆＺ１と外折り部１０ｆＺ２とを接合する接着剤ＨＭＡ２であるが（図３Ｃ、図３Ｄ）、Ｚ字状折り畳み部分１０ｆＺ,１０ｆＺが長手方向の両側たる腹側及び背側にそれぞれ設けられていることから、当該接着剤ＨＭＡ２,ＨＭＡ２も、腹側及び背側にそれぞれ設けられている。一方、後者の接着剤ＨＭＡ３の方は、フラップ部１０ｆにおける第１折り曲げ位置Ｐ１よりも横方向の内側の部分１０ｆｋと内折り部１０ｆＺ１とを接合する接着剤ＨＭＡ３であるが（図３Ｃ、図３Ｄ）、当該接着剤ＨＭＡ３についても、Ｚ字状折り畳み部分１０ｆＺ,１０ｆＺが腹側及び背側にそれぞれ設けられていることから、腹側及び背側にそれぞれ設けられている。なお、以下では、長手方向の腹側に位置する接着剤ＨＭＡ２及び接着剤ＨＭＡ３のことを、それぞれ「接着剤ＨＭＡ２ａ」及び「接着剤ＨＭＡ３ａ」とも言い、長手方向の背側に位置する接着剤ＨＭＡ２及び接着剤ＨＭＡ３のことを、それぞれ「接着剤ＨＭＡ２ｂ」及び「接着剤ＨＭＡ３ｂ」とも言う。
【００７１】
ここで、腹側は、着用者の鼠蹊部に対向する側であるが、当該鼠蹊部は凹状であり、また、腹から股下に向かって横方向に狭くなっている部分である。そのため、吸収性コア１１ｃよりも横方向の外側に突出しつつ腹側胴回り部３１上で折り畳まれているフラップ１０ｆを横方向に広げるよりも、折り畳んで厚みを出した状態で着用者の身体に当接させる方が、より高いフィット性を得られる。一方、背側は、臀部に対向する側であり、臀部が凸状であることから、フラップ部１０ｆを横方向に広げてフラップ部１０ｆを高くする方が、より臀部を効果的に覆うことができる。
【００７２】
よって、この例では、図９に示すように、どちらの接着剤ＨＭＡ２，ＨＭＡ３についても、腹側の接着剤ＨＭＡ２ａ（ＨＭＡ３ａ）の長手方向の長さを、背側の接着剤ＨＭＡ２ｂ（ＨＭＡ３ｂ）の長手方向の長さよりも長くしている。そして、これにより、腹側では、長手方向の長さを長くすることで、折り畳まれた状態で着用者の身体に沿っていく範囲を長くして、鼠蹊部へのフィット性を高める一方、背側では、長手方向の長さを短くすることで、フラップ部１０ｆを横方向に広がり易くして、臀部への被覆性を高めている。
【００７３】
一方、同図９に示すように、この接着剤ＨＭＡ２，ＨＭＡ３同士の長手方向の長さを、腹側に位置する接着剤ＨＭＡ２ａ，ＨＭＡ３ａ同士で比較すると、前者の接着剤ＨＭＡ２ａよりも後者の接着剤ＨＭＡ３ａの方が長く設けられている。よって、折り畳み状態を維持し易くしながらも、鼠蹊部に対しては高いフィット性で当接させることができる。すなわち、接着剤ＨＭＡ３ａを相対的に長くすることで、フラップ１０ｆにおいて吸収性コア１１ｃよりも横方向の外側に突出する部分が、腹側胴回り部３１上で折り畳まれている状態に維持され易くなる。一方、接着剤ＨＭＡ２ａを相対的に短くすることで、外折り部１０ｆＺ２において接着剤ＨＭＡ２ａよりも横方向の外側に位置する部分１０ｆＺ２ｐａ（図５）を起立させ易くなって、これにより、鼠蹊部へのフィット性を高めることができる。
【００７４】
ところで、本実施形態では、吸収性本体１０又はそのフラップ部１０ｆに対して長手方向の収縮力を付与するために４種類の弾性部材１７，１８，１９，２０が、横方向に並んで設けられている（図３Ｃ）。以下、これら４種類の弾性部材１７，１８，１９，２０について説明する。なお、何れの弾性部材１７，１８，１９，２０も、長手方向に伸長下で吸収性本体１０又はそのフラップ部１０ｆに接着剤（不図示）で固定されていて、これにより、吸収性本体１０又はフラップ部１０ｆに収縮力を付与する。また、この例では、これら４種類の弾性部材１７，１８，１９，２０として、糸ゴムが使用されているが、何等これに限らない。
【００７５】
先ず、第１種の弾性部材１７は、図３Ｃの展開状態のおむつ１を肌側から見た場合に、フラップ部１０ｆにおいて立体ギャザー部ＬＳＧの支点ＨＭＡ４と重なるように互いの横方向の位置を揃えて配されている。よって、この弾性部材１７は、立体ギャザー部ＬＳＧの支点ＨＭＡ４に対して長手方向の収縮力を付与することができて、これにより、支点ＨＭＡ４が着用者の肌に近づくように吸収性本体１０を持ち上げることができる。
【００７６】
なお、この例では、かかる第１種の弾性部材１７は、バックシート１５の外装シート１５ｂと防漏シート１５ａとの間に介挿されているが、何等これに限らない。すなわち、バックシート１５の肌側面或いは非肌側面に接着剤（不図示）で固定されていても良い。なお、このことは、以下で出てくる第２種乃至第４種の弾性部材１８，１９，２０についても同様である。
【００７７】
また、この例では、上記支点ＨＭＡ４の位置は、吸収性コア１１ｃよりも横方向の外側に設定されていて、すなわち、当該支点ＨＭＡ４は、着用者の股間から横方向の外側に適度に離されている。そして、これにより、立体ギャザー部ＬＳＧは、着用者の肌に横方向のより外側から当たるようになっている。その結果、横方向の内側に位置する場合に起こり易い立体ギャザー部ＬＳＧの潰れを効果的に防ぐことができて、その結果、立体ギャザー部ＬＳＧを起立状態に維持し易くなる。
【００７８】
次に、第２種の弾性部材１８（第１弾性部材に相当）は、図１０（図３Ｃ乃至図３Ｅ）の展開状態且つ型紙状態のおむつ１を肌側から見た場合に、吸収性コア１１ｃの長手方向の両端部１１ｃｅａ，１１ｃｅｂでは、同コア１１ｃと重なるが、両端部１１ｃｅａ，１１ｃｅｂ同士の間に位置する同コア１１ｃの括れ部１１ｃｋでは同コア１１ｃに重ならないように配されている。よって、着用者が履いたパンツ型状態のおむつ１において吸収性本体１０が過度に垂れ下がることを防ぐことができる。すなわち、吸収性本体１０のうちで上記括れ部１１ｃｋが位置する部分及びその近傍部分が、一般に、最も下方に垂れ下がり易いが、上記の配置によれば、この第２種の弾性部材１８は、括れ部１１ｃｋに比較的近い位置に位置している。よって、フラップ部１０ｆを介して括れ部１１ｃｋに収縮力を効果的に付与することができる。そして、これにより、当該収縮力に基づいて括れ部１１ｃｋを着用者の肌に近づくように持ち上げることができて、吸収性本体１０が過度に垂れ下がることを防ぐことができる。その結果、着用者と吸収性本体１０との間の隙間の発生を抑制することができて、総じて、おむつ１の防漏性を高めることができる。
【００７９】
次に、第３種の弾性部材１９（第２弾性部材に相当）は、図１０（図３Ｃ乃至図３Ｅ）の展開状態且つ型紙状態のおむつ１を肌側から見た場合に、フラップ部１０ｆにおける立体ギャザー部ＬＳＧの支点ＨＭＡ４と吸収性コア１１ｃの横方向の最外端１１ｃｅｗとの間の部分１０ｆｐに設けられている。よって、この第３種の弾性部材１９は、吸収性コア１１ｃに比較的近い位置に位置していることから、フラップ部１０ｆを介して同コア１１ｃに収縮力を効果的に付与することができる。そして、これにより、パンツ型状態のおむつ１を着用者が履いた後に、排泄物を吸収性コア１１ｃが吸収して重くなった場合でも、上記の収縮力に基づいて吸収性コア１１ｃを着用者の肌に近づくように持ち上げることができる。
【００８０】
また、同図１０を参照しながらこの第３種の弾性部材１９を長手方向に関して見た場合には、当該第３種の弾性部材１９は、収縮力を付与可能な有効部分１９ｖと、有効部分１９ｖの長手方向の両側に位置しつつ、収縮力を付与不能な無効部分１９ｉｖ，１９ｉｖと、を有している。すなわち、第３種の弾性部材１９の長手方向の各端部１９ｉｖ，１９ｉｖは、接着剤等でフラップ部１０ｆに固定されていないとともに、自然長まで長手方向に収縮した状態にあって、これにより、フラップ部１０ｆに対して収縮力を付与できない無効部分１９ｉｖ，１９ｉｖとなっている。
【００８１】
一方、既述のように、図１１の腹側胴回り部３１は、当該腹側胴回り部３１に対して横方向の収縮力を付与するための腹側弾性部材３５，３５…を複数有している。そして、これら腹側弾性部材３５，３５…のうちの非連続弾性部材３５ｎの左側弾性部材３５ｎＬ及び右側弾性部材３５ｎＲは、それぞれ、収縮力を付与可能な有効部分３５ｖと、有効部分３５ｖの横方向の両側に位置しつつ、収縮力を付与不能な無効部分３５ｉｖ，３５ｉｖと、を有している。すなわち、左側弾性部材３５ｎＬ及び右側弾性部材３５ｎＲのどちらの弾性部材についても、横方向の各端部３５ｉｖ，３５ｉｖは、接着剤等でフラップ部１０ｆに固定されていないとともに、自然長まで長手方向に収縮した状態にあって、これにより、フラップ部１０ｆに対して収縮力を付与できない無効部分３５ｉｖとなっている。
【００８２】
また、これら左側弾性部材３５ｎＬ及び右側弾性部材３５ｎＲは、互いに左右勝って反対の関係になっている。そして、それ以外の点は概ね同じである。そのため、前述したように、以下では、両者を代表して右側弾性部材３５ｎＲについてのみ説明する。
【００８３】
ここで、望ましくは、同図１１の展開状態のおむつ１を肌側から見た場合に、おむつ１の長手方向に並ぶ複数の右側弾性部材３５ｎＲ，３５ｎＲ…のうちの少なくとも一つの右側弾性部材３５ｎＲの有効部分３５ｖと、第３種の弾性部材１９の有効部分１９ｖとが交差する交差位置Ｐｃ１９が、フラップ部１０ｆにおいて腹側胴回り部３１が接着剤ＨＭＡ１で接合されている領域（図１１中でドット模様の領域）と重なっていると良い。例えば、この例では、股下側から数えて合計２本の右側弾性部材３５ｎＲの有効部分３５ｖが、そのようになっている。
【００８４】
そして、このようになっていれば、腹側胴回り部３１及びフラップ部１０ｆを介して、右側弾性部材３５ｎＲの収縮力を第３種の弾性部材１９の有効部分１９ｖに速やかに伝達することができる。よって、当該右側弾性部材３５ｎＲの収縮力も、第３種の弾性部材１９の収縮力がフラップ部１０ｆを介して行う吸収性本体１０の肌側への持ち上げに有効に寄与することができて、これにより、吸収性本体１０の垂れ下がりをより効果的に防ぐことができる。
【００８５】
図１２は、第４種の弾性部材２０（第３弾性部材に相当）の説明図である。第４種の弾性部材２０は、腹側のＺ字状折り畳み部分１０ｆＺ及び背側のＺ字状折り畳み部分１０ｆＺに掛け渡されつつ長手方向に沿ってフラップ部１０ｆに設けられている。そして、この例では、図３Ｃ及び図３Ｄに示すように、当該第４種の弾性部材２０は、Ｚ字状折り畳み部分１０ｆＺの外折り部１０ｆＺ２に４本設けられ、また、内折り部１０ｆＺ１には１本設けられている。また、図１２に示すように、同第４種の弾性部材２０は、収縮力を付与可能な有効部分２０ｖと、有効部分２０ｖの長手方向の両側に位置しつつ、収縮力を付与不能な無効部分２０ｉｖ，２０ｉｖと、を有している。すなわち、当該第４種の弾性部材２０の長手方向の各端部２０ｉｖ，２０ｉｖは、接着剤等でＺ字状折り畳み部分１０ｆＺに固定されていないとともに、自然長まで長手方向に収縮した状態にあって、これにより、フラップ部１０ｆに対して収縮力を付与できない無効部分２０ｉｖとなっている。
【００８６】
一方、図１３に示すように、腹側胴回り部３１の非連続弾性部材３５ｎに係る右側弾性部材３５ｎＲも、収縮力を付与可能な有効部分３５ｖと、有効部分３５ｖの横方向の両側に位置しつつ、収縮力を付与不能な無効部分３５ｉｖ，３５ｉｖと、を有している。
【００８７】
ここで、望ましくは、同図１３の展開状態且つ型紙状態のおむつ１を肌側から見た場合に、フラップ部１０ｆにおいて腹側胴回り部３１が接着剤ＨＭＡ１で接合されている領域（図１３中でドット模様の領域）では、おむつ１の長手方向に並ぶ複数の右側弾性部材３５ｎＲ，３５ｎＲ…のうちの少なくとも一つの右側弾性部材３５ｎＲの有効部分３５ｖと、第４種の弾性部材２０の有効部分２０ｖとが交差していないと良い。例えば、この例では、第４種の弾性部材２０の有効部分２０ｖは、長手方向の股下側に位置する全７本の各右側弾性部材３５ｎＲ，３５ｎＲ…の配置位置よりも長手方向の内側に位置していて、これにより、これにより、第４種の弾性部材２０の有効部分２０ｖは、全７本の何れの右側弾性部材３５ｎＲ，３５ｎＲ…の有効部分３５ｖ，３５ｖ…とも交差していない。
【００８８】
そして、このようになっていれば、フラップ部１０ｆは、当該パンツ型状態のおむつ１を着用者が履く際に、脚回り開口ＬＨは、着用者の脚を通し易い状態に維持され易くなる。すなわち、着用者がパンツ型状態のおむつ１を履くべく同おむつ１の腹側胴回り部３１及び背側胴回り部４１を横方向の両側に引っ張った際に、当該引っ張り力は、腹側胴回り部３１の右側弾性部材３５ｎＲにも伝わるが、このとき、フラップ部１０ｆにおいて腹側胴回り部３１が接合されている領域（図１３中でドット模様の領域）では、互いの有効部分３５ｖ，２０ｖ同士が交差していないことから、右側弾性部材３５ｎＲと第４種の弾性部材２０との間で力の伝達がされ難く、これにより、上記の引っ張り力は、右側弾性部材３５ｎＲから第４種の弾性部材２０へとほぼ伝達されない。そのため、上記の引っ張り力起因でフラップ部１０ｆの中間部分１０ｆＭにおけるＺ字状折り畳み部分１０ｆＺの近傍部分が横方向の外側に広がってしまうことは抑制される。そして、これにより、当該近傍部分が横方向の外側に広がることに起因して脚回り開口ＬＨが実質的に小さくなってしまうことを防ぐことができて、その結果、パンツ型状態のおむつ１を着用者が履く際に、脚回り開口ＬＨは、着用者の脚を通し易い状態に維持され易くなる。
【００８９】
また、この例では、前述の図８Ａ乃至図８Ｄの形成手順に基づいてバックシート１５でＺ字状折り畳み部分１０ｆＺを形成していることから、図３Ｃに示すように、バックシート１５の防漏シート１５ａ（液不透過性シートに相当）は、内折り部１０ｆＺ１及び外折り部１０ｆＺ２に対しても横方向に延在して配されている。そして、これにより、内折り部１０ｆＺ１及び外折り部１０ｆＺ２の防漏性は高められている。また、これに付随して、腹側のＺ字状折り畳み部分１０ｆＺ及び背側のＺ字状折り畳み部分１０ｆＺとの間に位置する前述の中間部分１０ｆＭにも、図３Ｅに示すように、上述と横方向の同じ位置まで防漏シート１５ａが延在している。よって、当該中間部分１０ｆＭについても、上述の外折り部１０ｆＺ２及び内折り部１０ｆＺ１と同様に防漏性が高められている。
【００９０】
但し、この例では、図３Ｃに示すように、外折り部１０ｆＺ２における横方向の先端部１０ｆＺ２ｅは、防漏シート１５ａが配されない非配置部分とされているとともに、当該非配置部分には、上記の第４種の弾性部材２０（第５弾性部材に相当）が設けられている。そして、このことは、図３Ｅの上記中間部分１０ｆＭも同様である。よって、防漏シート１５ａの存在に起因したフラップ部１０ｆの先端部１０ｆｅの肌触りの悪化を防ぐことができる。また、当該先端部１０ｆｅは、第４種の弾性部材２０の収縮力によって着用者の脚に密着することができて、このことも、脚回り開口ＬＨの防漏性の良化に有効に寄与する。
【００９１】
また、上述のように、内折り部１０ｆＺ１に設けられた上記第４種の弾性部材２０ａ（２０）（内折り部用弾性部材に相当）に基づいて、フラップ部１０ｆの中間部分１０ｆＭ（図３Ａ）において長手方向の各内折り部１０ｆＺ１, １０ｆＺ１同士の間に位置する部分１０ｆＭＺ１（図３Ｅ）（以下、中間部分内折り部１０ｆＭＺ１と言う）には、長手方向の収縮力が付与されており、同じく、外折り部１０ｆＺ２に設けられた上記第４種の弾性部材２０ｂ（２０）（外折り部用弾性部材に相当）に基づいて、同中間部分１０ｆＭにおける長手方向の各外折り部１０ｆＺ２, １０ｆＺ２同士の間に位置する部分１０ｆＭＺ２（図３Ｅ）（以下、中間部分外折り部１０ｆＭＺ２と言う）にも、長手方向の収縮力が付与されているが、ここで、望ましくは、長手方向に皺が無くなるまで伸長した伸長状態を１００％の伸長状態とした場合に、７０％の伸長状態において、前者の中間部分内折り部１０ｆＭＺ１に付与された横方向に単位長さ当たりの長手方向の収縮力の大きさ（Ｎ／ｃｍ）が、後者の中間部分外折り部１０ｆＭＺ２に付与された横方向に単位長さ当たりの長手方向の収縮力（Ｎ／ｃｍ）よりも大きくなっていると良い。
【００９２】
そして、このようになっていれば、図３Ｅのように着用時にフラップ部１０ｆの中間部分１０ｆＭが起立する際に、中間部分外折り部１０ｆＭＺ２に比べて中間部分内折り部１０ｆＭＺ１の方が長手方向に大きく収縮するので、中間部分外折り部１０ｆＭＺ２はやや外向きに倒れた状態となる。そして、このことと、横方向の外側に広がることができるＺ折り構造とが相俟って、中間部分外折り部１０ｆＭＺ２が面で広がった状態で着用者の身体に当接するようになる。
【００９３】
ちなみに、かかる中間部分内折り部１０ｆＭＺ１及び中間部分外折り部１０ｆＭＺ２の上記の収縮力（Ｎ／ｃｍ）は、以下のようにして測定される。
先ず、フラップ部１０ｆの中間部分１０ｆＭ（図３Ａ）を第１折り位置Ｐ１（図３Ｅ）で長手方向に沿って切断するとともに、フラップ部１０ｆの中間部分１０ｆＭを長手方向の腹側及び背側の各Ｚ字状折り畳み部分１０ｆＺ, １０ｆＺから切り離し、これにより、同中間部分１０ｆＭ（図３Ｅ）における横方向の先端側の部分をおむつ１から切り離した状態にする。また、この切り離された先端側の部分を、第２折り返し位置Ｐ２（図３Ｃ）で長手方向に沿って切断することにより、当該先端側の部分から、上記の中間部分内折り部１０ｆＭＺ１のサンプルと、上記の中間部分外折り部１０ｆＭＺ２のサンプルとを生成する。
そして、各サンプルにつき長手方向の各端部１０ｍｍを掴み部とし、各掴み部以外の部分を残りの部分とした場合に、当該残りの部分を長手方向及び横方向に皺なく広げた状態（１００％の伸長状態の寸法）での長手方向の寸法Ｌ１（ｍｍ）及び横方向の寸法Ｌ２（ｍｍ）を予め測定しておく。
そうしたら、サンプルの各掴み部を、引張り試験機（例えば、島津製作所社製のオートグラフＡＧＳ−Ｘ等）が備える上下の各チャックに把持させて、上下の各チャック同士の間の間隔を広げることにより、収縮状態のサンプルを１００（ｍｍ／ｍｉｎ）の引っ張り速度で上記のＬ１の８５％の長さまで長手方向に伸長し、しかる後に、Ｌ１の７０％の長さまで各チャック同士の間隔を狭めた状態にする。そして、この狭めた状態の時の収縮力（Ｎ）を記録し、当該収縮力（Ｎ）を、Ｌ２の寸法（ｍｍ）を用いて横方向に単位長さ（１０ｍｍ）当りの収縮力に換算して、この換算後の収縮力（Ｎ／ｃｍ）を、上述の横方向に単位長さ当たりの長手方向の収縮力（Ｎ／ｃｍ）とする。
【００９４】
図１４は、背側胴回り部４１を拡大して示す概略平面図である。なお、図１４は、パンツ型状態におけるおむつ１を型紙状態で示している。
前述したように、背側胴回り部４１は、当該背側胴回り部４１に対して横方向の収縮力を付与するための背側弾性部材４５を複数有している。そして、これら背側弾性部材４５，４５…のうちの非連続弾性部材４５ｎの左側弾性部材４５ｎＬ及び右側弾性部材４５ｎＲは、それぞれ、収縮力を付与可能な有効部分４５ｖと、有効部分４５ｖの横方向の両側に位置しつつ、収縮力を付与不能な無効部分４５ｉｖ，４５ｉｖと、を有している。すなわち、左側弾性部材４５ｎＬ及び右側弾性部材４５ｎＲのどちらの弾性部材についても、横方向の各端部４５ｉｖ，４５ｉｖは、接着剤等でフラップ部１０ｆに固定されていないとともに、自然長まで長手方向に収縮した状態にあって、これにより、フラップ部１０ｆに対して収縮力を付与できない無効部分４５ｉｖとなっている。
【００９５】
また、これら左側弾性部材４５ｎＬ及び右側弾性部材４５ｎＲは、互いに左右勝って反対の関係になっていて、それ以外の点は互いに概ね同じである。そのため、以下では、両者を代表して右側弾性部材４５ｎＲについてのみ説明する。
【００９６】
ここで、望ましくは、右側弾性部材４５ｎＲ，４５ｎＲ…のうちの少なくとも一つの右側弾性部材４５ｎＲの有効部分４５ｖの少なくとも一部が、背側胴回り部４１においてフラップ部１０ｆのＺ字状折り畳み部分１０ｆＺが接着剤ＨＭＡ１で接合されている領域（図１４中でドット模様の領域であり、以下、接合領域とも言う）に位置していると良い。そして、この例では、全４本の右側弾性部材４５ｎＲ，４５ｎＲ…のうちの全ての右側弾性部材４５ｎＲ，４５ｎＲ…につき、各有効部分４５ｖの左端部４５ｖｅが、上記の接合領域に位置している。よって、着用者がパンツ型状態のおむつ１を履くべく同おむつ１の腹側胴回り部３１及び背側胴回り部４１を横方向の両側に引っ張ると、当該引っ張り力は、上記右側弾性部材４５ｎＲの有効部分４５ｖを介してＺ字状折り畳み部分１０ｆＺに伝達されて、これにより、フラップ部１０ｆの中間部分１０ｆＭにおけるＺ字状折り畳み部分１０ｆＺの近傍部分が横方向の外側に広がる。そして、その結果、当該広がった部分で着用者の尻部を速やかに覆うことができる。よって、背側胴回り部４１における股下側の部分に、図１５のような尻部を覆うための張り出し部４１ｅｘｔ、４１ｅｘｔを設けずに済む。
【００９７】
図１６Ａ及び図１６Ｂは、Ｚ字状折り畳み部分１０ｆＺの変形例の説明図である。図１６Ａは、展開状態のおむつ１を肌側から見た概略平面図であり、図１６Ｂは、図１６Ａ中のＢ−Ｂ断面図である。
前述の実施形態では、図４及び図５に示すように、Ｚ字状折り畳み部分１０ｆＺの外折り部１０ｆＺ２は、内折り部１０ｆＺ１よりも横方向の外側に突出する部分１０ｆＺ２ｐを有していた。そして、この突出する部分１０ｆＺ２ｐに、ＨＭＡ１で腹側胴回り部３１に固定されない非固定部分１０ｆＺ２ｐ１を設けることによって、脚回り開口が実質的に大きくされていたが、この変形例では、図１６Ｂに示すように、上記の突出する部分１０ｆＺ２ｐを有していない。すなわち、この変形例では、外折り部１０ｆＺ２は、内折り部１０ｆＺ１よりも横方向の内側に若干引っ込んでいて、つまり、外側に突出していない。
【００９８】
しかし、このような変形例の場合でも、次のようにして非固定部分１０ｆＺｐ１を設ければ、前述の実施形態と同様に、脚回り開口ＬＨを実質的に大きくする効果を奏することができる。
すなわち、図１６Ａ及び図１６Ｂに示すように、Ｚ字状折り畳み部分１０ｆＺにおける横方向の外縁部を含む所定部分１０ｆＺｐ１であって、腹側胴回り部３１と重なる部分のうちの長手方向の最も内側の部分１０ｆＺｐ１を含む上記所定部分１０ｆＺｐ１を、腹側胴回り部３１に固定されない非固定部分１０ｆＺｐ１とする。そして、このようにすれば、当該非固定部分１０ｆＺｐ１は、腹側胴回り部３１から離間可能であることから、その分だけ脚回り開口ＬＨを実質的に大きくすることができる。
ちなみに、この変形例の場合にも、前述の実施形態と同様、非固定部分１０ｆＺｐ１に隣接させて固定部分を有するようにしても良い。すなわち、図１６Ａに示すように、Ｚ字状折り畳み部分１０ｆＺにおいて上記の非固定部分１０ｆＺｐ１の長手方向の外側に隣接する部分１０ｆＺｐ２、及びＺ字状折り畳み部分１０ｆＺにおいて非固定部分１０ｆＺｐ１の横方向の内側に隣接する部分１０ｆＺｐ３が、それぞれ、腹側胴回り部３１に接着剤ＨＭＡ１で固定されるようにしても良い。そして、このようにすれば、腹側胴回り部３１にＺ字状折り畳み部分１０ｆＺをしっかりと固定することができる。
【００９９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０１００】
上述の実施形態では、フラップ部１０ｆが２回だけ横方向に折り畳まれることによってＺ字状折り畳み部分１０ｆＺが形成されていたが、何等これに限らない。すなわち、フラップ部１０ｆがＺ字状に折り畳まれた状態に固定された部分を有していれば、本発明の概念に含まれる。例えば、上記のＺ字状よりも折り畳み回数が１回多いＷ字状に折り畳まれた状態に固定された部分も、Ｚ字状に折り畳まれた状態に固定された部分を有していることから、本発明の概念に含まれる。同様に、折り畳み回数が更に多い４回以上の場合も本発明の概念に含まれるのは、言うまでもない。
【０１０１】
上述の実施形態では、図３Ｃに示すように、フラップ部１０ｆをバックシート１５で形成していたが、何等これに限らず、バックシート１５とは別のシートでフラップ部１０ｆを形成しても良い。例えば、バックシート１５の横方向の両側にそれぞれフラップ部１０ｆを形成する別のシートを設けても良い。同様に、上述の実施形態では、立体ギャザー部ＬＳＧもバックシート１５で形成していたが、何等これに限らない。すなわち、バックシート１５とは別のシートで立体ギャザー部ＬＳＧを形成しても良い。
【符号の説明】
【０１０２】
１  使い捨ておむつ、  １０  吸収性本体、１０ｅａ  端部、１０ｅｂ  端部、１０ｆ  フラップ部、１０ｆＭ  中間部分、１０ｆＭｅ  先端部、１０ｆＭＺ１  中間部分内折り部、１０ｆＭＺ２  中間部分外折り部、１０ｆＺ  Ｚ字状折り畳み部分、１０ｆＺ１  内折り部、１０ｆＺ２  外折り部、１０ｆＺ２ｐ１  非固定部分、１０ｆＺ２ｅ  先端部、１０ｆＺ２ｐ  突出する部分、１０ｆＺ２ｐ１  所定部分、１０ｆＺ２ｐ２  隣接する部分、１０ｆＺ２ｐ３  隣接する部分、１０ｆＺ２ｐ４  所定部分、１０ｆＺ２ｐ５  隣接する部分、１０ｆＺ２ｐ６  隣接する部分、１０ｆＺ２ｐａ  部分、１０ｆＺｋ  重なり部分、１０ｆＺｐ１  所定部分、１０ｆＺｐ２  隣接する部分、１０ｆＺｐ３  隣接する部分、１０ｆｅ  先端部、１０ｆｋ  部分、１０ｆｐ  部分、１１  吸収体、１１ｃ  吸収性コア、１１ｃｅａ  端部、１１ｃｅｂ  端部、１１ｃｅｗ  最外端、１１ｃｋ  括れ部、１１ｅ  端部、１３  トップシート、１３ｅ  端部、１５  バックシート、１５ＬＳＧ  シート状部材、１５ＬＳＧｅｗ  外端部、１５ＬＳＧｐ  延在部分、１５ＬＳＧｐｅ  端部、１５ａ  防漏シート（液不透過性シート）、１５ｂ  外装シート、１５ｐｗ  突出する部分、１５ｐ  突出する部分（折り返された部分）、１５ｐ１  部分、１５ｐ２  部分、１５ｔ  シート状部分、１６  弾性部材、１７  第１種の弾性部材、１８  第２種の弾性部材（第１弾性部材）、１９  第３種の弾性部材（第２弾性部材）、１９ｖ  有効部分、１９ｉｖ  端部（無効部分）、２０  第４種の弾性部材（第３弾性部材）、２０ａ  第４種の弾性部材（第３弾性部材、内折り部用弾性部材）、２０ｂ  第４種の弾性部材（第３弾性部材、外折り部用弾性部材）、２０ｖ  有効部分、２０ｉｖ  端部（無効部分）、３１  腹側胴回り部、３１ｅ  端部、３２  不織布、３３  不織布、３５  腹側弾性部材、３５ｃ  連続弾性部材、３５ｎ  非連続弾性部材、３５ｎＬ  左側弾性部材、３５ｎＬｅＬ  左端部、３５ｎＬｅＲ  右端部、３５ｎＲ  右側弾性部材、３５ｎＲｅＬ  左端部、３５ｎＲｅＲ  右端部、３５ｖ  有効部分、３５ｉｖ  端部（無効部分）、４１  背側胴回り部、４１ｅ  端部、４１ｅｘｔ  張り出し部、４２  不織布、４３  不織布、４５  背側弾性部材、４５ｃ  連続弾性部材、４５ｎ  非連続弾性部材、４５ｎＬ  左側弾性部材、４５ｎＬｅＬ  左端部、４５ｎＬｅＲ  右端部、４５ｎＲ  右側弾性部材、４５ｎＲｅＬ  左端部、４５ｎＲｅＲ  右端部、４５ｖ  有効部分、４５ｉｖ  端部（無効部分）、４５ｖｅ  左端部、ＢＨ  胴回り開口、ＬＨ  脚回り開口、Ｐ１  第１折り曲げ位置、Ｐ２  第２折り曲げ位置、Ｐ３  折り曲げ位置、ＣＬ１  中央位置、ＣＬ１ｗ  中央位置、ＣＬ１０  所定位置、ＬＳＧ  立体ギャザー部、ＨＭＡ１  接着剤、ＨＭＡ２  接着剤、ＨＭＡ３  接着剤、ＨＭＡ４  接着剤（支点）、ＨＭＡ４ー１  接着剤、ＨＭＡ４ー２  接着剤、ＨＭＡ５  接着剤、ＬＳＧｅ  先端部、Ｐｃ１９  交差位置、
【図１】
2017113347.tif 000003
【図２】
2017113347.tif 000004
【図３Ａ】
2017113347.tif 000005
【図３Ｂ】
2017113347.tif 000006
【図３Ｃ】
2017113347.tif 000007
【図３Ｄ】
2017113347.tif 000008
【図３Ｅ】
2017113347.tif 000009
【図４】
2017113347.tif 000010
【図５】
2017113347.tif 000011
【図６】
2017113347.tif 000012
【図７】
2017113347.tif 000013
【図８】
2017113347.tif 000014
【図９】
2017113347.tif 000015
【図１０】
2017113347.tif 000016
【図１１】
2017113347.tif 000017
【図１２】
2017113347.tif 000018
【図１３】
2017113347.tif 000019
【図１４】
2017113347.tif 000020
【図１５】
2017113347.tif 000021
【図１６Ａ】
2017113347.tif 000022
【図１６Ｂ】
2017113347.tif 000023